(57)【要約】      （修正有）【課題】電源基板を備えた電源装置と光源基板を備えた光源部との電気的接続を構成する工程の簡略化を図ることができる光源ユニット及び照明装置を提供すること。【解決手段】照明装置において、光源ユニット２００は、光源部と、電源装置２５０と、取付部材２２０と、電源装置２５０と光源部とを電気的に接続する接続部材３００とを備え、発光素子が表面に配置される光源基板２１１には、光源基板接続部２１４を有する。電源装置は、外部電力と電気的に接続される電源基板接続部２５３０が設けられ、接続部材３００は、電源基板２５３に配置された状態で電源基板孔２５３２と取付部材孔２２０ｅと光源基板孔２１１１とに挿通されており、光源基板接続部と電源基板接続部とを電気的に接続する。【選択図】図９
2020102441.tif 000002
【特許請求の範囲】
【請求項１】
光源部と、
前記光源部に電力を供給する電源装置と、
前記光源部及び前記電源装置が取り付けられる取付部材と、
前記電源装置と前記光源部とを電気的に接続する接続部材と、
を備え、
前記光源部は、
貫通孔である光源基板孔が形成されていると共に、１つ又は複数の発光素子が表面に配置される光源基板と、
前記光源基板に設けられ、前記１つ又は複数の発光素子と電気的に接続される光源基板接続部と、
を有し、
前記取付部材は、
板状に形成されており、貫通孔である取付部材孔が形成されていると共に、第１面部には前記光源部が取り付けられており、前記第１面部の裏側となる第２面部には前記電源装置が取り付けられており、
前記電源装置は、
貫通孔である電源基板孔が形成されていると共に、外部電力と電気的に接続される電源基板接続部が設けられた電源基板を有し、
前記電源基板と前記取付部材と前記光源基板とは、前記電源基板孔と前記取付部材孔と前記光源基板孔とが連なるように配置されており、
前記接続部材は、
前記電源基板に配置された状態で前記電源基板孔と前記取付部材孔と前記光源基板孔とに挿通されており、前記光源基板接続部と前記電源基板接続部とを電気的に接続する光源ユニット。
【請求項２】
前記接続部材は、
本体部と、
前記本体部から突出する脚部と、
を有し、
前記脚部が、前記電源基板孔、前記取付部材孔、前記光源基板孔の順番に挿通されて、前記本体部が、前記電源基板に配置されている請求項１に記載の光源ユニット。
【請求項３】
前記電源装置は、
前記電源基板を収容する電源本体部と、
前記電源基板の少なくとも一部を覆い、前記電源本体部に固定される電源蓋部と、
をさらに有し、
前記電源本体部には、前記電源基板孔、前記取付部材孔及び前記光源基板孔と連なる電源本体部孔が形成されている請求項１又は請求項２に記載の光源ユニット。
【請求項４】
光源部と、
前記光源部に電力を供給する電源装置と、
前記電源装置と前記光源部とを電気的に接続する接続部材と
を備え、
前記光源部は、
貫通孔である光源基板孔が形成されていると共に、１つ又は複数の発光素子が表面に配置される光源基板と、
前記光源基板に設けられ、前記１つ又は複数の発光素子と電気的に接続される光源基板接続部と、
を有し、
前記電源装置は、
貫通孔である電源基板孔が形成されていると共に、外部電力と電気的に接続される電源基板接続部が設けられた電源基板を有し、
前記電源基板と前記光源基板とは、前記電源基板孔と前記光源基板孔とが連なるように配置されており、
前記接続部材は、
前記電源基板に配置された状態で前記電源基板孔と前記光源基板孔とに挿通されており、前記光源基板接続部と前記電源基板接続部とを電気的に接続する光源ユニット。
【請求項５】
前記接続部材は、
本体部と、
前記本体部から突出する脚部と、
を有し、
前記脚部が、前記電源基板孔、前記光源基板孔の順番に挿通されて、前記本体部が、前記電源基板に配置されている請求項４に記載の光源ユニット。
【請求項６】
前記電源装置は、
前記電源基板を収容する電源筐体部をさらに有し、
前記電源筐体部には、前記電源基板孔及び前記光源基板孔と連なる電源本体部孔が形成されている請求項４又は請求項５に記載の光源ユニット。
【請求項７】
前記接続部材は、
前記本体部に露出しており、前記接続部材が前記電源基板に配置された状態において前記電源基板接続部と接続する第１接続部と、
前記脚部の先端に露出しており、前記接続部材が前記電源基板に配置された状態において前記光源基板接続部と接続する第２接続部と、
を有する請求項２又は請求項５に記載の光源ユニット。
【請求項８】
前記接続部材は、
前記電源基板に配置された状態で前記電源蓋部又は前記電源本体部に固定されている請求項３に記載の光源ユニット。
【請求項９】
前記接続部材は、
前記電源基板に配置された状態で前記電源筐体部に固定されている請求項６に記載の光源ユニット。
【請求項１０】
請求項１〜請求項９のいずれか１項に記載の光源ユニットと、
前記光源ユニットを支持する器具本体と、
を有する照明装置。
【請求項１１】
給電回路が設けられており貫通孔が形成されている第１基板と、前記給電回路によって外部電力から変換された点灯電力が出力される給電端部とを有し、貫通孔が形成された支持部材に取り付けられている給電部と、
発光素子と、前記発光素子が一面側に配置されており貫通孔が形成されている第２基板と、前記発光素子と接続されており前記点灯電力が入力される受電端部とを有し、前記支持部材における前記給電部が取り付けられていない側に、前記第２基板の他面側を対向させた状態で配置される発光部と、
前記第１基板、前記第２基板、及び、前記支持部材に形成されているそれぞれの貫通孔に挿通された状態で、前記給電端部と前記受電端部とに電気的に接続される接続部と、
を備えている照明装置。
【発明の詳細な説明】
【技術分野】
【０００１】
本発明は、光源ユニットと器具本体とを有する照明装置において、光源ユニット及び当該光源ユニットが取り付けられた照明装置に関するものである。
【背景技術】
【０００２】
従来、長尺状の光源ユニットと、この光源ユニットの一部が挿入される凹部が形成された器具本体とを備える照明装置であって、光源ユニットが着脱自在に取り付けられている照明装置が提供されている（例えば、特許文献１参照）。特許文献１の光源ユニットは、発光素子が実装された光源基板が取り付けられたフレームの逆面に電源装置が取り付けられており、電源装置と光源基板とは電線を介して、電源装置の電源基板と光源基板に実装されているコネクタとが電気的に接続される。そして、特許文献１の光源ユニットは、光源ユニットのフレームに設けられた挿通孔に電線が挿通され、電源装置の電源基板と光源基板とが電気的に接続されている。
【先行技術文献】
【特許文献】
【０００３】
【特許文献１】特許第６０４１２１０号公報
【発明の概要】
【発明が解決しようとする課題】
【０００４】
特許文献１の光源ユニット及び照明装置は、作業者が光源基板のコネクタから導出する電線を光源ユニットのフレームに設けられた挿通孔に挿通させ、その端部を電源装置に接続するものである。そのため、特許文献１の光源ユニット及び照明装置は、電源装置と光源基板との電気的接続を行うことが煩雑であり、光源ユニット及び照明装置の組立工程の簡略化を図るには不十分である。
【０００５】
本発明は、上記のような課題を解決する為になされたもので、電源基板を備えた電源装置と光源基板を備えた光源部との電気的接続作業を簡略化し、組立工程の簡略化を図ることができる光源ユニット及び照明装置を提供するものである。
【課題を解決するための手段】
【０００６】
本発明に係る光源ユニットは、光源部と、光源部に電力を供給する電源装置と、光源部及び電源装置が取り付けられる取付部材と、電源装置と光源部とを電気的に接続する接続部材と、を備え、光源部は、貫通孔である光源基板孔が形成されていると共に、１つ又は複数の発光素子が表面に配置される光源基板と、光源基板に設けられ、１つ又は複数の発光素子と電気的に接続される光源基板接続部と、を有し、取付部材は、板状に形成されており、貫通孔である取付部材孔が形成されていると共に、第１面部には光源部が取り付けられており、第１面部の裏側となる第２面部には電源装置が取り付けられており、電源装置は、貫通孔である電源基板孔が形成されていると共に、外部電力と電気的に接続される電源基板接続部が設けられた電源基板を有し、電源基板と取付部材と光源基板とは、電源基板孔と取付部材孔と光源基板孔とが連なるように配置されており、接続部材は、電源基板に配置された状態で電源基板孔と取付部材孔と光源基板孔とに挿通されており、光源基板接続部と電源基板接続部とを電気的に接続する。
【発明の効果】
【０００７】
本発明の光源ユニットは、電源基板と取付部材と光源基板とが、電源基板孔と取付部材孔と光源基板孔とが連なるように配置されている。そして、接続部材は、電源基板に配置された状態で電源基板孔と取付部材孔と光源基板孔とに挿通されており、光源基板接続部と電源基板接続部とを電気的に接続するものである。すなわち、接続部材は、電源基板孔と取付部材孔と光源基板孔とを挿通して、電源基板に配置されることで、光源基板接続部と電源基板接続部とを電気的に接続する。そして、光源ユニットは、光源基板接続部を有する光源部と、電源基板接続部を有する電源装置との電気的接続を完了させる。そのため、光源ユニットは、電源装置と光源部との電気的接続を構成する際に、電線の配線を行う必要がなく、接続部材を差し込むのみで容易に電気的接続作業が完了し、光源ユニットの組立工程の簡略化を図ることができる。
【図面の簡単な説明】
【０００８】
【図１】実施の形態１に係る照明装置の斜視図である。
【図２】実施の形態１に係る照明装置の分解斜視図である。
【図３】実施の形態１に係る照明装置の側面図である。
【図４】図３の照明装置のＡ−Ａ線断面図である。
【図５】図２の器具本体の斜視図である。
【図６】図５の器具本体に配設されるバネの斜視図である。
【図７】実施の形態１に係る光源ユニットの斜視図である。
【図８】実施の形態１に係る光源ユニットの分解斜視図である。
【図９】実施の形態１に係る接続部材を説明する斜視図である。
【図１０】図８の光源ユニットに取り付けられる連結金具の斜視図である。
【図１１】図７の光源ユニットのＣ部の拡大上面図である。
【図１２】図１１の接続部材を取り外した状態の電源基板の拡大上面図である。
【図１３】図１１の光源ユニットのＤ−Ｄ線断面図である。
【図１４】実施の形態１に係る接続部材の詳細構造を説明する斜視図である。
【図１５】実施の形態２に係る接続部材を説明する斜視図である。
【図１６】実施の形態２に係る接続部材を説明する断面図である。
【図１７】実施の形態３に係る接続部材を備えた光源ユニットの拡大斜視図である。
【図１８】実施の形態３に係る接続部材を説明する断面図である。
【図１９】実施の形態３に係る接続部材の詳細構造を説明する斜視図である。
【図２０】実施の形態４に係る接続部材を説明する斜視図である。
【図２１】実施の形態４に係る接続部材を説明する断面図である。
【図２２】実施の形態４に係る接続部材を説明する別の断面図である。
【図２３】実施の形態４に係る接続部材の詳細構造を説明する斜視図である。
【図２４】実施の形態５に係る接続部材を説明する斜視図である。
【図２５】実施の形態５に係る接続部材を説明する上面図である。
【図２６】実施の形態５に係る接続部材を説明する断面図である。
【図２７】実施の形態５に係る接続部本体部の詳細構造を説明する斜視図である。
【図２８】実施の形態６に係る光源ユニットの分解斜視図である。
【図２９】実施の形態６に係る電源装置の分解斜視図である。
【図３０】実施の形態６に係る発光体と光源側接続部材との分解斜視図である。
【図３１】実施の形態６に係る光源ユニットの拡大上面図である。
【図３２】実施の形態６に係る光源ユニットの断面図である。
【発明を実施するための形態】
【０００９】
以下、各実施の形態に係る光源ユニット２００及び照明装置１について、図面を参照して説明する。各図において同じ又は対応する構成要素には、同じ符号を付し、説明の繰り返しを省略する場合がある。
【００１０】
ここで、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった向きあるいは位置が示されている場合がある。これらの表記は、説明の便宜上の記載であり、装置、器具、あるいは部品等の配置、方向及び向きを限定するものではない。
【００１１】
実施の形態１．
［照明装置１］
図１は、実施の形態１に係る照明装置１の斜視図である。図２は、実施の形態１に係る照明装置１の分解斜視図である。図３は、実施の形態１に係る照明装置１の側面図である。はじめに、図１から図３を参照して照明装置１の各部の構成を説明する。
【００１２】
照明装置１は、照明空間を照明できる位置に設置され、照明空間を照らすものである。照明空間とは、照明装置１が設置される空間、例えば居住空間、倉庫等の空間、ビルあるいは公共施設等の空間、エレベータあるいは廊下等の共有空間、又は、電車や船舶等の乗り物内の空間等を意味している。
【００１３】
照明装置１は、器具本体１００と、器具本体１００に着脱自在に取り付けられる長尺状の光源ユニット２００と、を備えている。あるいは、照明装置１は、後述する給電部１ａと、発光部である発光体２１０と、接続部である接続部材３００と、を備えている。
【００１４】
器具本体１００及び光源ユニット２００はいずれも長尺状である。なお、以下の説明において、長手方向を長手方向Ｘ、長手方向Ｘに対する短手方向を短手方向Ｙとし、長手方向Ｘ及び短手方向Ｙそれぞれに直交する方向を上下方向Ｚとする。また、照明装置１が取り付けられる天井等の被取付面側を上方向Ｚ１とし、上方向Ｚ１と反対側であり、照明装置１が照射する側を下方向Ｚ２とする。
【００１５】
図４は、図３の照明装置１のＡ−Ａ線断面図である。図５は、図２の器具本体１００の斜視図である。図２、図４及び図５を参照して器具本体１００の各部の構成を説明する。
【００１６】
［器具本体１００］
器具本体１００は、例えば、ボルト等の固定具を用いて天井等の被取付部に取り付けられる。器具本体１００は、図２及び図５に示すように、光源ユニット２００の一部が挿入されて取り付けられる取付部１１０と、取付部１１０の長手端部を覆う側板１２０とを備える。また、器具本体１００は、器具本体１００の外部から引き込まれた電源線（図示は省略）が挿し込まれる端子台１３０と、光源ユニット２００を保持するためのバネ１４０とを備えている。なお、器具本体１００は、図１に示すように、長尺状に形成されているが、器具本体１００は、長尺状に形成されているものに限定されるものではなく、他の形状に形成されてもよい。
【００１７】
（取付部１１０）
取付部１１０は、長手方向Ｘに沿って形成され光源ユニット２００が挿入される収容凹部１１１と、短手方向Ｙにおいて収容凹部１１１の両側に設けられる鍔部１１２と、短手方向Ｙにおいて鍔部１１２の外側に設けられる傾斜部１１３とを備えている。
【００１８】
収容凹部１１１は、図４及び図５に示すように、長手方向Ｘに沿って長尺且つ矩形板状に形成された底部１１１ａと、底部１１１ａの長手側辺のそれぞれから底部１１１ａと直交する方向に延出する一対の側部１１１ｂとを有する。収容凹部１１１は、底部１１１ａと側部１１１ｂとを有することで凹形状をなし、光源ユニット２００の一部を収納する。収容凹部１１１は、上下方向（Ｚ軸方向）において、側部１１１ｂの一端側に底部１１１ａが配置されており、側部１１１ｂの他端側に光源ユニット２００が挿入される開口１１１ｃが形成されている。すなわち、収容凹部１１１は、底部１１１ａと対向する位置に光源ユニット２００が挿入される開口１１１ｃが形成されている。
【００１９】
底部１１１ａには、電源引込孔１１１ａａと、固定孔１１１ａｂとが形成されている。電源引込孔１１１ａａは、商用電源から電力の供給を受けるための電源線（図示は省略）を引き込むために利用される。固定孔１１１ａｂは、器具本体１００を被取付部に固定するための固定具を挿通させるために利用される。
【００２０】
鍔部１１２は、図５に示すように、一対の側部１１１ｂの、開口１１１ｃ側の長手側辺のそれぞれから互いに離れるように対に形成されている。
【００２１】
傾斜部１１３は、図４及び図５に示すように、短手方向Ｙにおいて収容凹部１１１の両側に設けられている。傾斜部１１３は、鍔部１１２の長手側辺より、上方向Ｚ１へ且つ収容凹部１１１から離れるように形成されている。傾斜部１１３が構成する傾斜面は、器具本体１００の外側且つ下方に面するように形成されている。
【００２２】
（側板１２０）
側板１２０は、図５に示すように、長手方向Ｘにおける取付部１１０の両端に配設されており、収容凹部１１１と傾斜部１１３とを覆っている。側板１２０は、収容凹部１１１及び傾斜部１１３の長手方向Ｘの端部を覆う側板本体部１２１と、側板本体部１２１の下方向Ｚ２側の側辺から側板本体部１２１に対して略垂直になるように突設した側板鍔部１２２とを有している。側板１２０は、側板鍔部１２２が開口１１１ｃの端部を覆うように取付部１１０に配設されており、側板鍔部１２２は鍔部１１２と併設している。
【００２３】
（端子台１３０）
端子台１３０は、図５に示すように、収容凹部１１１の底部１１１ａに固定されており、電源引込孔１１１ａａから引き込まれた電源線（図示は省略）と接続し、商用電源から供給される電力を光源ユニット２００に供給する。端子台１３０は、矩形箱状に形成された端子台本体部１３１と、光源ユニット２００に電気的に接続するための端子台接続部１３２とを備えている。なお、図５に示す端子台本体部１３１の形状は一例であり、例えば、円柱状、多角柱状等他の形状で形成されていてもよい。端子台接続部１３２は、端子台電線１３２ａと、端子台電線１３２ａの先端に設けられた端子台コネクタ１３２ｂとを備えている。
【００２４】
（バネ１４０）
バネ１４０は、図２及び図５に示すように、収容凹部１１１の底部１１１ａに、長手方向Ｘに沿って２つ配設されており、長手方向Ｘに対になるように配設されている。バネ１４０は、光源ユニット２００を器具本体１００に取り付ける取付機構の１つであり、後述する連結金具２６０と係合するものである。バネ１４０は、例えば、ステンレス材料、あるいは、バネ鋼材等の弾性材料で形成される。
【００２５】
図６は、図５の器具本体１００に配設されるバネ１４０の斜視図である。バネ１４０は、図６に示すように、バネ１４０の一端に設けられたバネ固定部１４１と、バネ１４０の他端に設けられたバネ先端部１４３と、バネ固定部１４１とバネ先端部１４３との間に設けられたバネ円弧部１４２と、を有する。
【００２６】
バネ固定部１４１は、図５に示すように、器具本体１００の底部１１１ａに固定される。バネ円弧部１４２は、円弧形状に形成された板材である。バネ先端部１４３は、バネ円弧部１４２の先端に鉤状に形成されており、後述する連結金具２６０に引っ掛けられる。また、対になるバネ１４０は、バネ先端部１４３が互いに反対方向を向くように底部１１１ａに配設されている。なお、バネ１４０は、板材の弾性材料を曲げて形成されてもよく、線材の弾性材料を曲げて形成されてもよい。
【００２７】
［光源ユニット２００］
図７は、実施の形態１に係る光源ユニット２００の斜視図である。図８は、実施の形態１に係る光源ユニット２００の分解斜視図である。図９は、実施の形態１に係る接続部材３００を説明する斜視図である。なお、図９（ａ）は、図８の光源ユニット２００のＢ部を拡大した図である。図９（ｂ）は、図９（ａ）の接続部材３００の上面側から見た拡大斜視図である。図９（ｃ）は、図９（ａ）の接続部材３００の下面側から見た拡大斜視図である。次に、図２、図４、図７、図８、図９等を参照して、光源ユニット２００の各部の構成を説明する。
【００２８】
光源ユニット２００は、図４、図７及び図８に示すように、発光素子２１２を有する発光体２１０と、この発光体２１０が取り付けられる取付部材２２０と、発光体２１０を覆うようにして取付部材２２０に取り付けられるカバー部材２３０とを備えている。また、光源ユニット２００は、光源ユニット２００の長手方向Ｘの端部に配設される蓋２４０を備えている。さらに、光源ユニット２００は、発光体２１０に所定の点灯電力を供給する電源装置２５０と、バネ１４０と係合する連結金具２６０と、接続部材３００とを備えている。
【００２９】
（発光体２１０）
光源ユニット２００は、図４に示すように、取付部材２２０の下方（Ｚ２方向）にカバー部材２３０が配置され、取付部材２２０のカバー部材２３０側の面に発光体２１０が配設されている。発光体２１０は、照明装置１の発光部である。
【００３０】
発光体２１０は、光源ユニット２００の長手方向Ｘに沿って長尺に形成された光源基板２１１と、光源基板２１１の長手方向Ｘに沿って直線状に実装される複数の発光素子２１２とを備えている。発光体２１０の光源基板２１１は、照明装置１の第２基板である。
【００３１】
光源基板２１１は、図４に示すように、取付部材２２０を構成する保持正面部２２０ａのカバー部材２３０と対向する第１面部２２０ａ１に配置されている。光源基板２１１は、板状に形成されており、光源基板２１１には、図８及び図９に示すように、少なくとも１つ以上の光源基板孔２１１１が形成されている。また、発光体２１０の光源基板２１１は、図４及び図９に示すように、発光体２１０と電源装置２５０との間を電気的に接続するための第２端子部材２１３を備えている。
【００３２】
第２端子部材２１３は、発光素子２１２と電気的に接続された入力端子部材であり、受電端部である。入力端子部材である第２端子部材２１３は、光源基板２１１とは別部品であり、光源基板２１１に実装される部品である。入力端子部材である第２端子部材２１３は、光源基板接続部２１４を構成する。光源基板接続部２１４は、光源基板２１１とは別部品であり、光源基板２１１に実装される入力端子部材である第２端子部材２１３を含むものである。また、光源基板接続部２１４は、光源基板２１１に形成され、導電体３０２がハンダ等で電気接続可能な配線パッド、あるいは、スルーホール等を含むものである。光源基板接続部２１４は、光源基板２１１に設けられ、１つ又は複数の発光素子２１２と電気的に接続される。第２端子部材２１３は、光源基板２１１の発光素子２１２が搭載されている側の板面に配置されており、光源基板２１１を介して電源装置２５０と対向する。この第２端子部材２１３と電源装置２５０とを接続部材３００で接続することで、発光体２１０と電源装置２５０とが電気的に接続される。光源基板２１１は、発光素子２１２と、発光素子２１２と接続されており、発光素子２１２の点灯電力が入力される受電端部とが一面側に配置されている。そして、発光部である発光体２１０は、支持部材である取付部材２２０における後述する給電部１ａが取り付けられていない側に、第２基板である光源基板２１１の他面側を対向させた状態で配置される。
【００３３】
発光素子２１２は、例えば表面実装タイプのＬＥＤ素子であるが、ＣＯＢ型発光モジュールでもよく、有機ＥＬ素子でもよい。なお、発光素子２１２は、図４に示すように、短手方向Ｙにおいて１つ設けられている例を示しているが、発光素子２１２は、短手方向Ｙにおいて複数設けられてもよい。
【００３４】
図９に示すように、光源基板２１１と、入力端子部材である第２端子部材２１３とは光源部２１５を構成する。したがって、光源ユニット２００は、光源部２１５を有している。光源部２１５は、貫通孔である光源基板孔２１１１が形成されていると共に、１つ又は複数の発光素子２１２が表面に配置される光源基板２１１と、光源基板２１１に設けられ、１つ又は複数の発光素子２１２と電気的に接続する第２端子部材２１３とを有する。そのため、光源ユニット２００は、光源部２１５と、光源部２１５に電力を供給する電源装置２５０と、電源装置２５０と光源部２１５とを電気的に接続する接続部材３００と、を備えるものでもよい。また、上述のように、光源ユニット２００は、フレームである取付部材２２０を有している。そのため、光源ユニット２００は、光源部２１５と、電源装置２５０と、光源部２１５及び電源装置２５０が取り付けられる取付部材２２０と、電源装置２５０と光源部２１５とを電気的に接続する接続部材３００と、を備えるものでもよい。
【００３５】
（取付部材２２０）
取付部材２２０は、板状に形成されており、図４、図８及び図９に示すように、貫通孔である取付部材孔２２０ｅが形成されている。取付部材２２０は、例えば、フレームである。取付部材２２０の第１面部２２０ａ１には光源部２１５が取り付けられており、第１面部２２０ａ１の裏側となる第２面部２２０ａ２には電源装置２５０が取り付けられている。取付部材２２０は、光源部２１５及び電源装置２５０が取り付けられる取付部材であり、あるいは、支持部材である。
【００３６】
より詳細には、取付部材２２０は、長尺状に形成されている。取付部材２２０は、図４、図８及び図９に示すように、発光体２１０及び電源装置２５０が取り付けられる保持正面部２２０ａと、保持正面部２２０ａの両端部から垂直に突出した保持側面部２２０ｂと、から構成されている。保持正面部２２０ａは、板状に形成されており、保持正面部２２０ａには、固定具４０３が挿通される固定用孔４０１と、接続部材３００の後述する脚部３０５が挿通される取付部材孔２２０ｅとが形成されている。保持正面部２２０ａの第１面部２２０ａ１には、上述したように、光源部２１５が取り付けられており、第１面部２２０ａ１の裏側となる第２面部２２０ａ２には電源装置２５０が取り付けられている。
【００３７】
また、取付部材２２０は、照明装置１において光源となる発光体２１０が取り付けられ、発光体２１０を覆うカバー部材２３０を保持する。取付部材２２０は、例えば、鋼板で構成され、ロール加工等により曲げられて形成される。あるいは、取付部材２２０は、押し出し成形により形成される。
【００３８】
（カバー部材２３０）
カバー部材２３０は、発光体２１０を覆うように長尺に形成され、取付部材２２０に取り付けられる。カバー部材２３０は、乳白色のアクリル樹脂等の拡散性を有する材料により形成され、発光体２１０から照射される光を拡散する。カバー部材２３０は、図４に示すように、短手方向Ｙにおいて、カバー円弧部２３１と、カバー側部２３２とを有している。カバー円弧部２３１及びカバー側部２３２は、カバー部材２３０において、発光素子２１２が発する光を出射する部分となる。
【００３９】
カバー円弧部２３１は、円弧形状であり、発光体２１０を覆っている。カバー円弧部２３１は、短手方向Ｙの断面が円弧形状であるが、他の形状であってもよい。カバー側部２３２は、短手方向Ｙにおいて、カバー円弧部２３１の各端部より保持正面部２２０ａ側、すなわち上側（Ｚ１側）に立ち上がるように設けられている。カバー部材２３０は、カバー円弧部２３１及びカバー側部２３２が長手方向Ｘへ連続するように形成されている。
【００４０】
（蓋２４０）
蓋２４０は、図７及び図８に示すように、光源ユニット２００の長手方向Ｘにおける端部に設けられ、カバー部材２３０の長手方向Ｘの開口を塞ぐとともに、発光体２１０が照射する光を長手方向Ｘへ配光するものである。蓋２４０は、アクリル樹脂等、透過性、拡散性を有する材料により形成されており、カバー部材２３０と接着剤、あるいは、熱溶着等の接合手段により接合されている。なお、蓋２４０は、発光体２１０が照射する光を長手方向Ｘへ配光するものに限定されず、カバー部材２３０の長手方向Ｘの開口を塞ぎ、光を透過しない材料で構成されてもよい。
【００４１】
蓋２４０は、カバー部材２３０の端部に設けられており、光源ユニット２００の長手方向Ｘにおける端部となる蓋端面部２４１と、蓋２４０の側面を構成する蓋側面部２４２とを有している。
【００４２】
（電源装置２５０）
電源装置２５０は、図５に示す端子台１３０を介して商用電源からの電力を発光体２１０に供給し、発光体２１０を点灯させるものである。すなわち、電源装置２５０は、光源部２１５に電力を供給するものである。電源装置２５０は、図４及び図７に示すように、保持正面部２２０ａの発光体２１０が取り付けられた面の反対側の面に固定される。すなわち、電源装置２５０は、保持正面部２２０ａの第２面部２２０ａ２に固定される。
【００４３】
電源装置２５０は、図９に示すように、電源基板２５３と、電源基板２５３を収容し長尺形状に形成された電源本体部２５１ｂと、電源本体部２５１ｂと電源基板２５３とを覆うように、電源本体部２５１ｂに固定される電源蓋部２５１ａと、を有する。電源蓋部２５１ａは、電源基板２５３の少なくとも一部を覆い、電源本体部２５１ｂに固定される。電源装置２５０は、電源本体部２５１ｂと、電源蓋部２５１ａとの複数の部品によって電源筐体部２５１を構成する。ただし、電源装置２５０の電源筐体部２５１は、当該構成に限定されるものではない。電源装置２５０の電源筐体部２５１は、筒形状あるいは箱形状等の単一の部品で構成されてもよい。例えば、電源装置２５０の電源筐体部２５１は、長手方向の端部が開口した筒形状に形成された構成、あるいは、取付部材２２０側の一面が開口した箱形状に形成された構成等であってもよい。電源筐体部２５１は、内部に電源基板２５３を収容する。
【００４４】
電源本体部２５１ｂには、本体部固定孔２５１ｂ１が形成されている。本体部固定孔２５１ｂ１には、固定具４０３が挿通される。電源装置２５０は、電源本体部２５１ｂに形成された本体部固定孔２５１ｂ１と、保持正面部２２０ａに形成された固定用孔４０１とに挿通された、固定具４０３によって取付部材２２０に取り付けられる。固定具４０３は、例えば、ネジ、あるいは、ボルト等である。また、電源装置２５０は、図５及び図８に示すように、端子台接続部１３２と接続する電源接続部２５２を備えている。
【００４５】
電源接続部２５２は、電源電線２５２ａと、電源コネクタ２５２ｂと、を備えている。電源コネクタ２５２ｂは、電源電線２５２ａの先端に設けられており、端子台コネクタ１３２ｂと接続される。
【００４６】
電源本体部２５１ｂには、さらに電源本体部孔２５１１（後述する図１３参照）が形成されている。光源ユニット２００において、電源本体部孔２５１１は、電源基板孔２５３２、取付部材孔２２０ｅ及び光源基板孔２１１１と連なる。換言すれば、光源ユニット２００において、電源本体部孔２５１１は、電源基板孔２５３２及び光源基板孔２１１１と連なる。
【００４７】
（連結金具２６０）
図１０は、図８の光源ユニット２００に取り付けられる連結金具２６０の斜視図である。連結金具２６０は、光源ユニット２００を器具本体１００に取り付ける取付機構の１つであり、バネ１４０と係合するものである。連結金具２６０は、図７及び図８に示すように、取付部材２２０の保持正面部２２０ａに、長手方向Ｘに沿って２つ配設されており、長手方向Ｘに対になるように配設されている。
【００４８】
連結金具２６０は、図１０に示すように、金具固定部２６１と、バネ連結部２６２とを有する。連結金具２６０は、金具固定部２６１とバネ連結部２６２との部分が略Ｌ字形状に形成されている。金具固定部２６１は、保持正面部２２０ａにスライドあるいはネジ等によって固定される。バネ連結部２６２には、バネ１４０が引っ掛けられる連結開口部２６２ａが形成されている。連結開口部２６２ａは、バネ連結部２６２に形成された貫通孔である。この連結開口部２６２ａとバネ１４０のバネ円弧部１４２とが係合することで、光源ユニット２００は、器具本体１００に固定される。
【００４９】
（電源基板２５３と光源基板２１１との電気的接続）
図１１は、図７の光源ユニット２００のＣ部の拡大上面図である。図１２は、図１１の接続部材３００を取り外した状態の電源基板２５３の拡大上面図である。図１３は、図１１の光源ユニット２００のＤ−Ｄ線断面図である。図４、図１１〜図１３を参照して、電源装置２５０と発光体２１０との電気的な接続構造に関して説明を行う。
【００５０】
電源装置２５０は、電源本体部２５１ｂに内蔵された電源基板２５３を有する。電源基板２５３には、発光素子２１２に電力を供給するための給電回路（図示は省略）が設けられている。また、電源基板２５３は、図１２に示すように、電源接続部２５２（図８参照）から受電した電力を出力させる第１端子部材２５３１を備え、電源基板２５３には、接続部材３００を挿通させるための電源基板孔２５３２が形成されている。電源基板２５３は、照明装置１の第１基板である。第１端子部材２５３１は、外部電力と電気的に接続され、直接又は変換された外部電力が出力される出力端子部材である。出力端子部材である第１端子部材２５３１は、電源基板２５３とは別部品であり、電源基板２５３に実装される部品である。出力端子部材である第１端子部材２５３１は、電源基板接続部２５３０を構成する。電源基板接続部２５３０は、電源基板２５３とは別部品であり、電源基板２５３に実装される出力端子部材である第１端子部材２５３１を含むものである。また、電源基板接続部２５３０は、電源基板２５３に形成され、導電体３０２がハンダ等で電気接続可能な配線パッド、あるいは、スルーホール等を含むものである。第１端子部材２５３１は、電源基板２５３に設けられた給電回路によって外部電力から変換された発光素子２１２の点灯電力が出力される給電端部である。電源基板孔２５３２は、電源基板２５３に形成された貫通孔である。電源基板接続部２５３０は、電源基板２５３に設けられており、外部電力と電気的に接続される。
【００５１】
図１２に示すように、第１基板である電源基板２５３と、給電端部である第１端子部材２５３１とは、照明装置１の給電部１ａを構成する。すなわち、給電部１ａは、給電回路が設けられており貫通孔が形成されている第１基板と、給電回路によって外部電力から変換された点灯電力が出力される給電端部とを有する。そして、給電部１ａは、電源本体部２５１ｂを介して貫通孔が形成された支持部材である取付部材２２０に取り付けられている。
【００５２】
なお、図１２では、第１端子部材２５３１は、一例としてジャンパー線で構成された構造を示している。しかし、第１端子部材２５３１は、導電性を有し、電気的接続を構成できる材質であれば、第１端子部材２５３１の形状は、電源基板２５３の形状、あるいは、電源基板２５３に形成されたパターン経路によって適宜変更することができる。第１端子部材２５３１は、熱による膨張収縮及び組立のばらつきを吸収できるように、弾性部材で構成されることが好ましい。
【００５３】
また、図１２では、電源基板２５３には、円形に形成された電源基板孔２５３２が２つ形成されている。しかし、電源基板孔２５３２は、接続部材３００が挿通するように形成されていれば他の構成で形成されてもよい。例えば、電源基板孔２５３２は、２つの電源基板孔２５３２のばらつきを抑えるために２つの孔を繋げて１つの楕円として形成されてもよく、あるいは、電源基板２５３の短手方向Ｙの端部に切欠きとして形成されてもよい。
【００５４】
電源基板２５３と光源基板２１１とは、図１１に示すように、電源基板２５３に取り付けられる接続部材３００を介して電気的に接続される。図１３に示すように、電源筐体部２５１には、電源基板孔２５３２及び光源基板孔２１１１と連なる電源本体部孔２５１１が形成されている。接続部材３００が電源基板２５３に取り付けられると、接続部材３００の脚部３０５を構成する突出部３０３１が、電源基板２５３に形成された電源基板孔２５３２と、電源本体部２５１ｂに形成された電源本体部孔２５１１とを挿通する。そして、接続部材３００は、電源基板２５３に配置された状態で電源本体部２５１ｂと係合し、電源本体部２５１ｂに固定されている。また、接続部材３００が電源基板２５３に取り付けられると、接続部材３００の脚部３０５を構成する突出部３０３１が、取付部材２２０に形成された取付部材孔２２０ｅを挿通する。光源ユニット２００は、電源基板孔２５３２と取付部材孔２２０ｅと光源基板孔２１１１とが連なるように、電源基板２５３とフレームである取付部材２２０と光源基板２１１とが配置されている。すなわち、光源ユニット２００は、電源基板孔２５３２と光源基板孔２１１１とが連なるように、電源基板２５３と光源基板２１１とが配置されている。
【００５５】
また、図１３に示すように、接続部材３００が電源基板２５３に取り付けられると、突出部３０３１の内部に挿通された導電体３０２が、電源基板２５３に形成された電源基板孔２５３２と、電源本体部２５１ｂに形成された電源本体部孔２５１１とを挿通する。さらに、接続部材３００が電源基板２５３に取り付けられると、突出部３０３１の内部に挿通された導電体３０２が、取付部材２２０に形成された取付部材孔２２０ｅと、光源基板２１１に形成された光源基板孔２１１１とを挿通する。なお、後述するように、接続部材３００の脚部３０５は、突出部３０３１と導電体３０２とにより構成されている。接続部材３００が電源基板２５３に取り付けられると、導電体３０２は、電源基板孔２５３２と、電源本体部孔２５１１と、取付部材孔２２０ｅと、光源基板孔２１１１とを挿通し、発光素子２１２側に設けられた第２端子部材２１３に接続される。したがって、接続部材３００は、電源基板２５３に配置された状態で電源基板孔２５３２と取付部材孔２２０ｅと光源基板孔２１１１とを挿通しており、入力端子部材である第２端子部材２１３と出力端子部材である第１端子部材２５３１とを電気的に接続する。すなわち、接続部材３００は、電源基板２５３に配置された状態で電源基板孔２５３２と光源基板孔２１１１とを挿通しており、入力端子部材である第２端子部材２１３と出力端子部材である第１端子部材２５３１とを電気的に接続する。光源ユニット２００は、電源装置２５０の側から発光体２１０の側に向かって導電体３０２を挿通させている。
【００５６】
第２端子部材２１３は、図１３に示すように、発光素子２１２側に配置されており、第２端子部材２１３には、接続部材３００の突出部３０３１に支持された導電体３０２の後述する第２接続部３０２１が差し込まれる。第２端子部材２１３は、図１３に示すように、光源基板２１１からカバー部材２３０側に突出するように形成されている。しかし、図１３に示す第２端子部材２１３の構成は一例であり、第２端子部材２１３は、例えば、光源基板２１１から取付部材２２０の保持正面部２２０ａ側に突出してもよい。また、第２端子部材２１３は、導電体３０２が差し込まれる構成ではなく、導電体３０２がはんだにより固定される構成、又は、導電体３０２が、かしめ等の機械的に固定される構成となるように形成されてもよい。
【００５７】
（接続部材３００）
図１４は、実施の形態１に係る接続部材３００の詳細構造を説明する斜視図である。なお、図１４（ａ）は、図９（ｂ）の接続部材３００の上面側から見た分解斜視図である。図１４（ｂ）は、図９（ｂ）の接続部材３００の下面側から見た分解斜視図である。図１４（ｃ）は、図１４（ｂ）の導電体３０２を接続部材カバー部３０１に取り付けた接続部材３００の分解斜視図である。図９及び図１４を用いて、接続部材３００について説明する。なお、接続部材３００は、照明装置１の接続部である。
【００５８】
接続部材３００は、上述したように、電源基板２５３と光源基板２１１とを電気的に接続し、電源装置２５０と発光体２１０とを電気的に接続するものである。すなわち、接続部材３００は、電源装置２５０と光源部２１５とを電気的に接続するものである。接続部材３００は、図９（ｂ）及び図９（ｃ）に示すように、略直方体形状に形成された筐体部３０４と、筐体部３０４から突出する脚部３０５とを有する。なお、筐体部３０４の構成は、略直方体の形状に限定されるものではなく、他の形状に形成されてもよい。より詳細には、接続部材３００は、図１４に示すように、電気的に絶縁する材質で構成された接続部材カバー部３０１と、複数の導電体３０２と、導電体３０２を支持し、且つ電気的に絶縁する材質で構成された接続部材蓋部３０３とを有する。
【００５９】
接続部材カバー部３０１は、略矩形状に形成された天面部３０１０ａと、４側面を構成する側面部３０１０ｂとを有し、天面部３０１０ａと対向する底面側が開口した箱状に形成されている。
【００６０】
接続部材カバー部３０１は、天面部３０１０ａの一辺から立ち上がる側壁部３０１１を有し、側壁部３０１１の外面側には突起３０１２が設けられている。接続部材３００の脚部３０５が電源基板２５３に挿通されて接続部材３００が電源基板２５３に取り付けられると、図１３に示すように、突起３０１２は、電源蓋部２５１ａの蓋側壁部２５１２と嵌合する。突起３０１２は、蓋側壁部２５１２と嵌合することによって、接続部材３００の挿通方向に対して接続部材３００の抜け止めとして機能する。すなわち、接続部材３００は、電源基板２５３に配置された状態で電源蓋部２５１ａと係合し、電源蓋部２５１ａに固定されている。なお、電源蓋部２５１ａの蓋側壁部２５１２は、電源蓋部２５１ａの長手端部より取付部材２２０の保持正面部２２０ａ方向に突出した側壁部材である。接続部材３００は、電源筐体部２５１と係合し、電源筐体部２５１に固定される。接続部材３００は、少なくとも電源蓋部２５１ａと電源本体部２５１ｂとのいずれかに固定される。
【００６１】
なお、接続部材カバー部３０１の側壁部３０１１に突起３０１２を設けず、接続部材３００が電源基板２５３に配置された状態で、接続部材カバー部３０１の天面部３０１０ａが電源蓋部２５１ａと当接するように構成してもよい。接続部材カバー部３０１の天面部３０１０ａには、例えば、電源蓋部２５１ａの蓋側壁部２５１２を当接させることができる。電源蓋部２５１ａは、電源蓋部２５１ａと当接することによって、接続部材３００の挿通方向に対して接続部材３００の抜け止めとして機能する。
【００６２】
接続部材３００は、図１４に示すように、接続部材カバー部３０１のガイド挿入部３０１３とガイド突起部３０３６とによって、接続部材蓋部３０３と接続部材カバー部３０１との位置決めが行われる。そして、接続部材３００は、内部に導電体３０２を収容して接続部材蓋部３０３と接続部材カバー部３０１とが嵌合したものである。なお、ガイド挿入部３０１３は、接続部材カバー部３０１の内部に設けられた非貫通孔である。ガイド突起部３０３６は、接続部材蓋部３０３に設けられた柱状の突起物であり、接続部材カバー部３０１と接続部材蓋部３０３とを組み合わせる際にガイド挿入部３０１３に挿入される。
【００６３】
導電体３０２は、図１４（ｂ）に示すように、第２端子部材２１３と接続される棒状に形成された第２接続部３０２１と、第１端子部材２５３１と接触し、且つ弾性変形する平板状に形成された第１接続部３０２２とを有する。導電体３０２は、接続部材カバー部３０１の内部に設けられたガイド挿入部３０１３によって位置が決められ、接続部材蓋部３０３と接続部材カバー部３０１との嵌合により、接続部材カバー部３０１と接続部材蓋部３０３とによって支持される。
【００６４】
なお、導電体３０２は、接続部材カバー部３０１のガイド挿入部３０１３と、接続部材蓋部３０３とによって支持されるが、強固に固定されて動かないように支持されると、発光体２１０による熱膨張収縮、あるいは、取付のばらつきを吸収できない。そのため、接続部材３００は、製造設備精度あるいは作業のばらつき、部品の加工のばらつき、発光体２１０の形状等により適宜寸法変動分を吸収するような遊びを設けることが好ましい。また、図示した導電体３０２は、板金を加工して構成しているが、第１端子部材２５３１と第２接続部３０２１とを電気的に接続できる構成であればよく、例えば、棒状の導電体３０２をＬ字形状に曲げて構成する等、他の構成で形成されてもよい。この場合、第１接続部３０２２に弾性を付加しない代替として、第１端子部材２５３１に弾性を持たせて、接続部材３００の導電体３０２と電源基板２５３の第１端子部材２５３１とが電気的に接続されるように構成されてもよい。
【００６５】
接続部材蓋部３０３は、図１４（ｂ）に示すように、突出部３０３１を有する。突出部３０３１は、先端に向かうに従い外径が小さくなるような円筒形状に形成されており、中空部には第２接続部３０２１が挿通される。接続部材３００は、図９（ｃ）に示すように、突出部３０３１の先端部から第２接続部３０２１が突出する。そのため、接続部材３００の脚部３０５は、突出部３０３１の先端部に第２接続部３０２１が露出している。第２接続部３０２１は、突出部３０３１の先端から突出しており、接続部材３００が電源基板２５３に配置された状態において、入力端子部材である第２端子部材２１３と接続する。すなわち、第２接続部３０２１は、接続部材３００が電源基板２５３に配置された状態において、光源基板接続部２１４に接続される。接続部材蓋部３０３は、第２接続部３０２１の接続時の反力に耐えるため、突出部３０３１によって補強され、且つ電気絶縁が施されている。
【００６６】
接続部材蓋部３０３には、図１４（ｂ）に示すように、複数の開口部３０３２が形成されている。接続部材３００は、図９（ｃ）に示すように、接続部材カバー部３０１と、複数の導電体３０２と、接続部材蓋部３０３とが組み合わされると、開口部３０３２に第１接続部３０２２が露出する。したがって、第１接続部３０２２は、筐体部３０４に露出している。接続部材３００が、電源基板２５３に取り付けられると、開口部３０３２から露出した第１接続部３０２２が、第１端子部材２５３１と重なるようにして接触する。したがって、第１接続部３０２２は、接続部材３００が電源基板２５３に配置された状態において出力端子部材である第１端子部材２５３１と接続する。すなわち、第１接続部３０２２は、接続部材３００が電源基板２５３に配置された状態において電源基板接続部２５３０に接続される。
【００６７】
接続部材３００は、接続部材カバー部３０１、接続部材蓋部３０３及び導電体３０２によって筐体部３０４が構成され、突出部３０３１及び導電体３０２によって脚部３０５が構成されている。接続部材３００は、第１接続部３０２２が筐体部３０４に露出しており、第２接続部３０２１が脚部３０５の先端に露出している。光源ユニット２００は、接続部材３００の脚部３０５が、電源基板孔２５３２、取付部材孔２２０ｅ、光源基板孔２１１１の順番に挿通されて、筐体部３０４が、電源基板２５３に配置されている。すなわち、光源ユニット２００は、接続部材３００の脚部３０５が、電源基板孔２５３２、光源基板孔２１１１の順番に挿通されて、筐体部３０４が、電源基板２５３に配置されている。
【００６８】
また、照明装置１において、接続部である接続部材３００は、第１基板である電源基板２５３、第２基板である光源基板２１１及び支持部材である取付部材２２０に形成されているそれぞれの貫通孔に挿通された状態で、給電端部と受電端部とに電気的に接続される。なお、それぞれの貫通孔とは、電源基板孔２５３２、取付部材孔２２０ｅ、光源基板孔２１１１である。また、給電端部とは第１端子部材２５３１であり、受電端部とは第２端子部材２１３である。すなわち、照明装置１の接続部である接続部材３００は、給電端部である第１端子部材２５３１と、受電端部である第２端子部材２１３とに電気的に接続される。
【００６９】
［光源ユニット２００の作用効果］
光源ユニット２００は、電源基板２５３とフレームである取付部材２２０と光源基板２１１とが、電源基板孔２５３２と取付部材孔２２０ｅと光源基板孔２１１１とが連なるように配置されている。そして、接続部材３００は、電源基板２５３に配置された状態で電源基板孔２５３２と取付部材孔２２０ｅと光源基板孔２１１１とに挿通されており、光源基板接続部２１４と電源基板接続部２５３０とを電気的に接続するものである。すなわち、接続部材３００は、電源基板孔２５３２と取付部材孔２２０ｅと光源基板孔２１１１とを挿通して、電源基板２５３に配置されることで、第２端子部材２１３と第１端子部材２５３１とを電気的に接続する。そして、光源ユニット２００は、光源基板接続部２１４を有する光源部２１５と、電源基板接続部２５３０を有する電源装置２５０との電気的接続を完了させる。そのため、光源ユニット２００は、電源装置２５０と光源部２１５との電気的接続を構成する際に、電線の配線を行う必要がなく、接続部材３００を差し込むのみで容易に電気的接続作業が完了し、光源ユニット２００の組立工程の簡略化を図ることができる。
【００７０】
また、光源ユニット２００は、接続部材３００を有することでハーネスを這わせる必要がなく、施工時にボルト干渉による短絡の発生を抑止することができ、光源ユニット２００の品質を向上させることができる。さらに、光源ユニット２００は、接続部材３００を有することでハーネスを保持するためのハーネスホルダの取り付け箇所のフレーム加工が不要となることから、金型を簡略化することができ、加工性を向上させることができる。また、光源ユニット２００は、接続部材３００を有することでハーネスを保持するためのハーネスホルダの取り付け箇所のフレーム加工が不要となることから、虫の混入を抑止することができ光源ユニット２００の品質を向上させることができる。さらに、光源ユニット２００は、接続部材３００を差し込むだけで取り付けが完了するため自動機による固定が可能であり、組立性が向上するものである。
【００７１】
また、接続部材３００は、筐体部３０４と、筐体部３０４から突出する脚部３０５と、を有し、脚部３０５が、電源基板孔２５３２、取付部材孔２２０ｅ、光源基板孔２１１１の順番に挿通されて、筐体部３０４が、電源基板２５３に配置されている。すなわち、接続部材３００は、脚部３０５が電源基板孔２５３２と取付部材孔２２０ｅと光源基板孔２１１１とを挿通して、筐体部３０４が電源基板２５３に配置されることで、第２端子部材２１３と第１端子部材２５３１とを電気的に接続する。そして、光源ユニット２００は、光源基板接続部２１４を有する光源部２１５と、電源基板接続部２５３０を有する電源装置２５０との電気的接続を完了させる。そのため、光源ユニット２００は、電源装置２５０と光源部２１５との電気的接続を構成する際に、電線の配線を行う必要がなく、接続部材３００を差し込むのみで容易に電気的接続作業が完了し、組立工程の簡略化を図ることができる。
【００７２】
また、電源装置２５０は、電源基板２５３を収容する電源本体部２５１ｂと、電源基板２５３の少なくとも一部を覆い、電源本体部２５１ｂに固定される電源蓋部２５１ａと、をさらに有する。そのため、電源基板２５３の固定と保護を図ることができる。さらに、電源本体部２５１ｂには、電源基板孔２５３２、取付部材孔２２０ｅ及び光源基板孔２１１１と連なる電源本体部孔２５１１が形成されている。接続部材３００は、電源基板孔２５３２と電源本体部孔２５１１と取付部材孔２２０ｅと光源基板孔２１１１とを挿通して、電源基板２５３に配置されることで、第２端子部材２１３と第１端子部材２５３１とを電気的に接続する。そして、光源ユニット２００は、光源基板接続部２１４を有する光源部２１５と、電源基板接続部２５３０を有する電源装置２５０との電気的接続を完了させる。そのため、光源ユニット２００は、接続部材３００を有することで電源装置２５０から光源部２１５の電気的接続を構成する工程の簡略化を図ることができる。
【００７３】
また、光源ユニット２００は、電源基板２５３と光源基板２１１とが、電源基板孔２５３２と光源基板孔２１１１とが連なるように配置されている。そして、接続部材３００は、電源基板２５３に配置された状態で電源基板孔２５３２と光源基板孔２１１１とに挿通されており、光源基板接続部２１４と電源基板接続部２５３０とを電気的に接続するものである。すなわち、接続部材３００は、電源基板孔２５３２と光源基板孔２１１１とを挿通して、電源基板２５３に配置されることで、第２端子部材２１３と第１端子部材２５３１とを電気的に接続する。そして、光源ユニット２００は、光源基板接続部２１４を有する光源部２１５と、電源基板接続部２５３０を有する電源装置２５０との電気的接続を完了させる。そのため、光源ユニット２００は、接続部材３００を有することで電源装置２５０から光源部２１５の電気的接続を構成する工程の簡略化を図ることができる。
【００７４】
また、接続部材３００は、脚部３０５が電源基板孔２５３２と光源基板孔２１１１とを挿通して、筐体部３０４が電源基板２５３に配置されることで、第２端子部材２１３と第１端子部材２５３１とを電気的に接続する。そして、光源ユニット２００は、光源基板接続部２１４を有する光源部２１５と、電源基板接続部２５３０を有する電源装置２５０との電気的接続を完了させる。そのため、光源ユニット２００は、接続部材３００を有することで電源装置２５０から光源部２１５の電気的接続を構成する工程の簡略化を図ることができる。
【００７５】
また、電源筐体部２５１には、電源基板孔２５３２及び光源基板孔２１１１と連なる電源本体部孔２５１１が形成されている。接続部材３００は、電源基板孔２５３２と電源本体部孔２５１１と光源基板孔２１１１とを挿通して、電源基板２５３に配置されることで、第２端子部材２１３と第１端子部材２５３１とを電気的に接続する。そして、光源ユニット２００は、光源基板接続部２１４を有する光源部２１５と、電源基板接続部２５３０を有する電源装置２５０との電気的接続を完了させる。そのため、光源ユニット２００は、接続部材３００を有することで電源装置２５０から光源部２１５の電気的接続を構成する工程の簡略化を図ることができる。
【００７６】
また、接続部材３００は、筐体部３０４に露出しており、接続部材３００が電源基板２５３に配置された状態において電源基板接続部２５３０と接続する第１接続部３０２２を有する。また、接続部材３００は、脚部３０５の先端に露出しており、接続部材３００が電源基板２５３に配置された状態において光源基板接続部２１４と接続する第２接続部３０２１を有する。そのため、接続部材３００は、電源基板孔２５３２と取付部材孔２２０ｅと光源基板孔２１１１とを挿通して、電源基板２５３に配置されることで、第２端子部材２１３と第１端子部材２５３１とを電気的に接続する。そして、光源ユニット２００は、光源基板接続部２１４を有する光源部２１５と、電源基板接続部２５３０を有する電源装置２５０との電気的接続を完了させる。その結果、光源ユニット２００は、接続部材３００を有することで電源装置２５０から光源部２１５の電気的接続を構成する工程の簡略化を図ることができる。
【００７７】
また、接続部材３００は、電源基板２５３に配置された状態で電源蓋部２５１ａと固定されている。そのため、電源装置２５０の電源蓋部２５１ａは、接続部材３００の挿通方向に対して接続部材３００の抜け止めとして機能する。また、接続部材３００は、電源基板２５３に配置された状態で電源本体部２５１ｂと固定されている。そのため、光源ユニット２００は、電源装置２５０と光源部２１５との電気的接続を構成する際に、電線の配線が行われる必要がなく、接続部材３００を差し込むのみで容易に電気的接続作業が完了し、光源ユニット２００の組立工程の簡略化を図ることができる。また、接続部材３００は、電源基板２５３に配置された状態で電源筐体部２５１と固定されている。そのため、光源ユニット２００は、電源装置２５０と光源部２１５との電気的接続を構成する際に、電線の配線が行われる必要がなく、接続部材３００を差し込むのみで容易に電気的接続作業が完了し、光源ユニット２００の組立工程の簡略化を図ることができる。
【００７８】
［照明装置１の作用効果］
また、照明装置１は、接続部材３００を有する光源ユニット２００を有する。そのため、照明装置１は、光源ユニット２００の上記作用効果を有することができ、電源装置２５０と光源部２１５との電気的接続を構成する際に、電線を使用する必要がない。そして、照明装置１は、接続部材３００を差し込むのみで容易に電源装置２５０と光源部２１５との電気的接続作業が完了し、組立工程の簡略化を図ることができる。
【００７９】
また、照明装置１は、給電部１ａと、発光部と、接続部とを有する。そして、接続部は、第１基板、前記第２基板、及び、前記支持部材に形成されているそれぞれの貫通孔に挿通された状態で、給電端部と受電端部とに電気的に接続される。そのため、照明装置１は、接続部を有することで、受電端部を有する光源部２１５と、給電端部を有する給電部１ａとの電気的接続を完了させる。そのため、照明装置１は、電源装置２５０と光源部２１５との電気的接続を構成する際に、電線を使用する必要がない。そして、照明装置１は、接続部を差し込むのみで容易に給電部１ａと発光部との電気的接続作業が完了し、組立工程の簡略化を図ることができる。
【００８０】
なお、各実施の形態は、上記実施の形態に限定されるものではなく、必要に応じて種々の変更が可能である。例えば、電源装置２５０と発光体２１０との接続方法として、取付部材２２０に発光体２１０、電源装置２５０が取付られた状態で接続部材３００を接続し、電気的接続を構成する例を挙げている。しかし、予め電源装置２５０に接続部材３００を接続した状態で構成し、電源装置２５０又は発光体２１０の取付時に電気的接続を完了させる方法も可能である。
【００８１】
実施の形態２．
図１５は、実施の形態２に係る接続部材３００ａを説明する斜視図である。図１５（ａ）は、光源ユニット２００の分解斜視図である。図１５（ｂ）は、図１５（ａ）の接続部材３００ａの下面側から見た拡大斜視図である。図１５（ｃ）は、図１５（ａ）の接続部材３００ａの上面側から見た拡大斜視図である。図１６は、実施の形態２に係る接続部材３００ａを説明する断面図である。図１６（ａ）は、接続部材３００ａの設置位置における光源ユニット２００の長手方向に対する垂直断面図であり、図１６（ｂ）のＤ−Ｄ線断面図である。図１６（ｂ）は、接続部材３００ａの設置位置における光源ユニット２００の短手方向に対する垂直断面図であり、図１６（ａ）のＦ−Ｆ線断面図である。なお、図１〜図１４の照明装置１と同一の構成を有する部位には同一の符号を付してその説明を省略する。実施の形態２に係る接続部材３００ａは、実施の形態１に係る接続部材３００と異なる特徴を有するものである。したがって、以下の説明では、図１５及び図１６を用いて、実施の形態２に係る接続部材３００ａの構成と接続部材３００ａが配置される部材の構成とを中心に説明する。
【００８２】
＜実施の形態１と異なる主な特徴＞
［接続部材３００ａが配置される部材］
光源基板孔２１１１ａは、図１５（ａ）に示すように、接続部材３００ａの導電体３０２ａの配置に対応して、光源基板２１１に貫通孔として形成されている。具体的には、光源基板孔２１１１ａは、図１５（ａ）に示すように、光源基板２１１に２つ形成されており、図１６（ａ）及び図１６（ｂ）に示すように、発光素子２１２を間にして光源基板２１１の短手方向における両端部側に形成されている。また、２つの光源基板孔２１１１ａの形成位置は、光源基板２１１の長手方向に対して斜めとなるように形成されている。したがって、光源基板孔２１１１ａが形成される位置は、光源基板２１１の長手方向に並んで形成されている実施の形態１の２つの光源基板孔２１１１の形成位置と異なっている。但し、光源基板孔２１１１ａの形成数及び形成位置等は、接続部材３００ａの導電体３０２ａの配置に対応していればよく、上記構成に限定されるものではない。
【００８３】
電源本体部孔２５１１ａは、接続部材３００ａの導電体３０２ａの配置に対応して、電源筐体部２５１を構成する電源本体部２５１ｂに貫通孔として形成されている。具体的には、電源本体部孔２５１１ａは、電源本体部２５１ｂに２つ形成されており、電源本体部２５１ｂの短手方向における両端部側に形成されている。また、２つの電源本体部孔２５１１ａの形成位置は、電源本体部２５１ｂの長手方向に対して斜めとなるように形成されている。したがって、電源本体部孔２５１１ａが形成される位置は、電源本体部２５１ｂの長手方向に並んで形成されている実施の形態１の２つの電源本体部孔２５１１の形成位置と異なっている。但し、電源本体部孔２５１１ａの形成数及び形成位置等は、接続部材３００ａの導電体３０２ａの配置に対応していればよく、上記構成に限定されるものではない。また、電源本体部孔２５１１ａは、開口の位置の他、開口形状、あるいは、開口の大きさによって導電体３０２ａの配置に対応するように形成されてもよい。
【００８４】
取付部材孔２２０ｅａは、接続部材３００ａの導電体３０２ａの配置に対応して、取付部材２２０の保持正面部２２０ａに貫通孔として形成されている。具体的には、取付部材孔２２０ｅａは、保持正面部２２０ａに１つ形成されており、取付部材２２０の長手方向に対して斜めに延びる長円形状に形成されている。これに対し、実施の形態１の取付部材孔２２０ｅは、取付部材２２０の長手方向に延びる長円形状に形成されている。したがって、保持正面部２２０ａに形成されている取付部材孔２２０ｅａの長軸の向きは、保持正面部２２０ａに形成されている実施の形態１の取付部材孔２２０ｅの長軸の向きと異なっている。但し、取付部材孔２２０ｅａの形成数及び形状等は、接続部材３００ａの導電体３０２ａの配置に対応していればよく、上記構成に限定されるものではない。また、取付部材孔２２０ｅａは、開口の延びる向きとなる孔の長軸の向きの他、開口形状、あるいは、開口の大きさによって導電体３０２ａの配置に対応するように形成されてもよい。
【００８５】
給電部１ａａは、電源基板２５３ａ、第１端子部材２５３１ａ及び電源基板孔２５３２ａを有する点で実施の形態１の給電部１ａと共通するが、給電部１ａａにおいて、これらの構成は、接続部材３００ではなく接続部材３００ａに対応した配置に設けられている。
【００８６】
［接続部材３００ａの構成］
接続部材３００ａは、接続部材カバー部３０１ａによって導電体３０２ａが一体不可分にインサートモールドされており、簡素化された構成となっている。なお、インサートモールドは、金属と樹脂とを一体成形する成形技術である。接続部材３００ａは、図１５（ｂ）及び図１５（ｃ）に示すように、実施の形態１の接続部材３００における接続部材蓋部３０３に相当する構成を必要としない。接続部材３００ａは、分解ができないが、製造工程における組み立て作業が不要であり照明装置１の製造工程が簡素なものとなる。
【００８７】
接続部材３００ａは、図１５（ｂ）及び図１５（ｃ）に示すように、電気的に絶縁する材質で構成された接続部材カバー部３０１ａと、接続部材カバー部３０１ａから突出する脚部３０５ａとを有する。更に、接続部材３００ａは、接続部材カバー部３０１ａとインサートモールドされた複数の導電体３０２ａを有する。接続部材３００ａでは、接続部材カバー部３０１ａが上述した筐体部３０４を構成する。
【００８８】
接続部材カバー部３０１ａは、平板状の略直方体形状に形成されている。接続部材カバー部３０１ａの少なくとも長手方向における端部には鍔部３０１４が形成されている。鍔部３０１４は、接続部材カバー部３０１ａと一体成形されており、接続部材カバー部３０１ａの側面から突出した板状の部材である。鍔部３０１４は、脚部３５０ａが突出する側の接続部材カバー部３０１ａの端部において、端部に沿って形成されている。
【００８９】
導電体３０２ａは、図１５（ｂ）に示すように、第２端子部材２１３ａと接続される棒状に形成された第２接続部３０２１ａと、第１端子部材２５３１ａと接触し、且つ弾性変形する板状に形成された第１接続部３０２２ａとを有する。
【００９０】
脚部３０５ａは、円筒形状に形成された突出部３０３１ａと、導電体３０２とによって構成されている。突出部３０３１ａは、接続部材カバー部３０１ａと一体成形されている。突出部３０３１ａの内部の中空部には第２接続部３０２１ａが挿通されている。接続部材３００ａは、図１５（ｂ）に示すように、突出部３０３１ａの先端部から第２接続部３０２１ａが突出する。そのため、接続部材３００ａは、脚部３０５ａである突出部３０３１ａの先端部に第２接続部３０２１ａが露出している。第２接続部３０２１ａは、突出部３０３１ａの先端から突出しており、接続部材３００ａが電源基板２５３ａに配置された状態において、入力端子部材である第２端子部材２１３ａと接続する。すなわち、第２接続部３０２１ａは、接続部材３００ａが電源基板２５３ａに配置された状態において、光源基板接続部２１４と接続する。接続部材３００ａは、第２接続部３０２１ａの接続時の反力に耐えるため、突出部３０３１ａによって補強され、且つ電気絶縁が施されている。
【００９１】
第１接続部３０２２ａは、突出部３０３１ａが突出する接続部材カバー部３０１ａの突出面から露出するように、接続部材カバー部３０１ａに配置されている。接続部材３００ａが、電源基板２５３ａに取り付けられると、接続部材カバー部３０１ａに露出した第１接続部３０２２ａが、第１端子部材２５３１ａと重なるようにして接触する。したがって、第１接続部３０２２ａは、接続部材３００ａが電源基板２５３ａに配置された状態において出力端子部材である第１端子部材２５３１ａと接続する。すなわち、第１接続部３０２２ａは、接続部材３００ａが電源基板２５３ａに配置された状態において電源基板接続部２５３０と接続する。
【００９２】
［接続部材３００ａの取り付け］
脚部３０５ａは、光源基板２１１の裏面に突出部３０３１ａの先端が当接又は近接するように、電源基板２５３ａの実装面の側から、電源基板孔２５３２ａ、電源本体部孔２５１１ａ、及び、取付部材孔２２０ｅａの順に挿通される。
【００９３】
この際、接続部材カバー部３０１ａにインサートモールドされた導電体３０２ａは、光源基板２１１の実装面（表面）に先端部が突出するように、各貫通孔に挿通される。具体的には、導電体３０２ａは、電源基板２５３ａの実装面の側から、電源基板孔２５３２ａ、電源本体部孔２５１１ａ、取付部材孔２２０ｅａ及び光源基板孔２１１１の順に挿通される。光源ユニット２００は、電源装置２５０の側から発光体２１０の側に向かって導電体３０２ａを挿通させている。導電体３０２ａは、突出部３０３１ａから露出した先端部（露出部）が第２端子部材２１３ａに接続される。
【００９４】
照明装置１において、接続部である接続部材３００ａは、第１基板である電源基板２５３ａ、第２基板である光源基板２１１及び支持部材である取付部材２２０に形成されているそれぞれの貫通孔に挿通された状態で、給電端部と受電端部とに電気的に接続される。すなわち、照明装置１の接続部である接続部材３００ａは、給電端部である第１端子部材２５３１ａと、受電端部である第２端子部材２１３ａとに電気的に接続される。
【００９５】
接続部材３００ａは、鍔部３０１４が電源本体部２５１ｂの切起し部２５１ｂ２を弾性変形させながら給電部１ａａに取り付けられる。接続部材３００ａが給電部１ａａに取り付けられた状態では、鍔部３０１４が切起し部２５１ｂ２に引っ掛かるので、切起し部２５１ｂ２を意図的に変形させない限り接続部材３００ａは電源本体部２５１ｂから外れることがない。鍔部３０１４は、切起し部２５１ｂ２に引っ掛かることによって、接続部材３００ａの挿通方向に対して接続部材３００ａの抜け止めとして機能する。すなわち、接続部材３００ａは、電源基板２５３に配置された状態で電源本体部２５１ｂと係合し、電源本体部２５１ｂに固定されている。換言すれば、接続部材３００ａは、電源筐体部２５１と係合し、電源筐体部２５１に固定される。
【００９６】
［接続部材３００ａを備えた光源ユニット２００の作用効果］
接続部材３００ａを備えた光源ユニット２００は、実施の形態１に係る光源ユニット２００と同様の作用効果を発揮する。また、接続部材３００ａが給電部１ａａに取り付けられた状態で、導電体３０２ａは発光素子２１２を間にして（跨いで）第２端子部材２１３ａに接続される。光源ユニット２００は、導電体３０２ａが発光素子２１２を跨ぐように接続部材３００ａを配置させると、光源基板２１１に形成され、導電体３０２ａに繋がる配線パターンを分散配置することによって、配線パターンのレイアウトの自由度が向上する。また、光源ユニット２００は、導電体３０２ａが発光素子２１２を跨ぐように接続部材３００ａを配置させると、発光素子２１２の上方に接続部材３００ａを配置することができ、光源基板２１１を小型化することができる。
【００９７】
また、光源ユニット２００は、配線パターンを分散配置することによって、発光素子２１２の動作熱の分散促進と均等分散化とに貢献することができる。そして、光源ユニット２００は、発光素子２１２の動作熱の分散促進と均等分散化とによって、光源基板２１１における伸縮の偏りを防止することができる。
【００９８】
なお、給電部１ａａは、電源基板２５３ａの長手方向における端部に形成されているが、給電部１ａａの形成位置は当該位置に限定されるものではなく、電源基板２５３ａの長手方向における中央部に形成されてもよい。この場合、電源蓋部２５１ａは、接続部材３００ａが給電部１ａａに取り付けられた後に、接続部材３００ａを覆った状態で電源本体部２５１ｂに固定される。このような構成とすることによって、給電部１ａａと接続部材３００ａとが確実に保護されるとともに、電源基板２５３ａの長手方向における端部を他の機能部品等の配置に活用することができる。
【００９９】
また、突出部３０３１ａから露出した導電体３０２ａの先端部（露出部）は、第２端子部材２１３ａに圧接（圧着）された状態で接続されるが、接続部分をハンダ等によって補強してもよい。さらに、光源ユニット２００は、第２端子部材２１３ａを用いずに、導電体３０２ａの先端部が光源基板２１１に接続される構成としてもよい。
【０１００】
実施の形態３．
図１７は、実施の形態３に係る接続部材３００ｂを備えた光源ユニット２００の拡大斜視図である。図１７（ａ）は、接続部材３００ｂが組み付けられた光源ユニット２００の拡大斜視図である。図１７（ｂ）は、接続部材３００ｂを取り外した光源ユニット２００の分解斜視図である。図１７（ｃ）は、図１７（ｂ）の接続部材３００ｂの上面側から見た拡大斜視図である。図１７（ｄ）は、図１７（ｂ）の接続部材３００ｂの下面側から見た拡大斜視図である。図１８は、実施の形態３に係る接続部材３００ｂを説明する断面図である。図１８（ａ）は、接続部材３００ｂの設置位置における光源ユニット２００の長手方向に対する垂直断面図であり、図１８（ｂ）のJ−Ｊ線断面図である。図１８（ｂ）は、接続部材３００ｂの設置位置における光源ユニット２００の短手方向に対する垂直断面図であり、図１８（ａ）のＨ−Ｈ線断面図である。なお、図１〜図１８の照明装置１と同一の構成を有する部位には同一の符号を付してその説明を省略する。実施の形態３に係る接続部材３００ｂは、実施の形態１に係る接続部材３００と異なる特徴を有するものである。したがって、以下の説明では、図１７及び図１８を用いて、実施の形態３に係る接続部材３００ｂの構成と接続部材３００ｂが配置される部材の構成とを中心に説明する。
【０１０１】
＜実施の形態１と異なる主な特徴＞
［接続部材３００ｂが配置される部材］
光源基板孔２１１１ｂは、図１８（ａ）及び図１８（ｂ）に示すように、接続部材３００ｂの導電体３０２ｂの配置に対応して、光源基板２１１に貫通孔として形成されている。具体的には、光源基板孔２１１１ｂは、光源基板２１１に２つ形成されており、図１８（ａ）に示すように、発光素子２１２を間にして光源基板２１１の短手方向における両端部側に形成されている。また、２つの光源基板孔２１１１ｂの形成位置は、光源基板２１１の短手方向に並んで形成されている。したがって、光源基板孔２１１１ｂが形成される位置は、光源基板２１１の長手方向に並んで形成されている実施の形態１の２つの光源基板孔２１１１の形成位置と異なっている。但し、光源基板孔２１１１ｂの形成数及び形成位置等は、接続部材３００ｂの導電体３０２ｂの配置に対応していればよく、上記構成に限定されるものではない。
【０１０２】
電源本体部孔２５１１ｂは、接続部材３００ｂの導電体３０２ｂの配置に対応して、電源筐体部２５１を構成する電源本体部２５１ｂに貫通孔として形成されている。具体的には、電源本体部孔２５１１ｂは、電源本体部２５１ｂに２つ形成されており、電源本体部２５１ｂの短手方向における両端部側に形成されている。また、２つの電源本体部孔２５１１ｂの形成位置は、電源本体部２５１ｂの短手方向に並んで形成されている。したがって、電源本体部孔２５１１ｂが形成される位置は、電源本体部２５１ｂの長手方向に並んで形成されている実施の形態１の２つの電源本体部孔２５１１の形成位置と異なっている。但し、電源本体部孔２５１１ｂの形成数及び形成位置等は、接続部材３００ｂの導電体３０２ｂの配置に対応していればよく、上記構成に限定されるものではない。また、電源本体部孔２５１１ｂは、開口の位置の他、開口形状、あるいは、開口の大きさによって導電体３０２ｂの配置に対応するように形成されてもよい。
【０１０３】
取付部材孔２２０ｅｂは、接続部材３００ｂの導電体３０２ｂの配置に対応して、取付部材２２０の保持正面部２２０ａに貫通孔として形成されている。具体的には、取付部材孔２２０ｅｂは、保持正面部２２０ａに１つ形成されており、取付部材２２０の短手方向に延びる長円形状に形成されている。これに対し、実施の形態１の取付部材孔２２０ｅは、取付部材２２０の長手方向に延びる長円形状に形成されている。したがって、保持正面部２２０ａに形成されている取付部材孔２２０ｅｂの長軸の向きは、保持正面部２２０ａに形成されている実施の形態１の取付部材孔２２０ｅの長軸の向きと異なっている。但し、取付部材孔２２０ｅｂの形成数及び形状等は、接続部材３００ｂの導電体３０２ｂの配置に対応していればよく、上記構成に限定されるものではない。また、取付部材孔２２０ｅｂは、開口の延びる向きとなる孔の長軸の向きの他、開口形状、あるいは、開口の大きさによって導電体３０２ｂの配置に対応するように形成されてもよい。
【０１０４】
給電部１ａｂは、電源基板２５３ｂ、第１端子部材２５３１ｂ及び電源基板孔２５３２ｂを有する点で実施の形態１の給電部１ａと共通するが、給電部１ａｂにおいて、これらの構成は、接続部材３００ではなく接続部材３００ｂに対応した配置に設けられている。具体的には、第１端子部材２５３１ｂは、電源基板孔２５３２ｂの開口形状に沿って、電源基板孔２５３２ｂの周囲に設けられている。第１端子部材２５３１ｂは、電源基板孔２５３２ｂの開口形状に沿って、半環状に形成されている。第１端子部材２５３１ｂは、接続部材３００ｂの設置側の面に形成されている。
【０１０５】
［接続部材３００ｂの構成］
図１９は、実施の形態３に係る接続部材３００ｂの詳細構造を説明する斜視図である。接続部材３００ｂは、図１９（ａ）及び図１９（ｂ）に示すように、絶縁材料を用いて形成された接続部材カバー部３０１ｂと、接続部材カバー部３０１ｂから突出する脚部３０５ｂと、導電材料を用いて形成された導電体３０２ｂとを有する。接続部材カバー部３０１ｂ、脚部３０５ｂ、及び、導電体３０２ｂは、それぞれが分離可能な個別の部品であり、これらが組み立てられることによって、接続部材３００ｂを構成する。接続部材３００ｂでは、接続部材カバー部３０１ｂが上述した筐体部３０４を構成する。
【０１０６】
接続部材カバー部３０１ｂは、ベース部３０１５、装着部３０１６及び端部突起３０１８を有する。ベース部３０１５は、平面視で略矩形状に形成されている板状の部材である。装着部３０１６は、接続部材カバー部３０１ｂにおいて脚部３０５ｂが取り付けられる部分である。
【０１０７】
装着部３０１６は、ベース部３０１５から突出した部分である。装着部３０１６は、ベース部３０１５の長手方向における中央部において、２つの装着部３０１６が長手方向に並んで形成されている。装着部３０１６は、突出方向の先端において板状に形成されており平面視で半長円形状に形成された上壁部３０１６ａを有する。なお、上壁部３０１６ａの形状は、半長円形状に限定されるものではなく他の形状であってもよい。上壁部３０１６ａは、ベース部３０１５から突出しており、ベース部３０１５と段差を形成している。装着部３０１６の上壁部３０１６ａには、貫通孔である嵌合孔３０１７が形成されている。装着部３０１６は、ベース部３０１５との段差と、上壁部３０１６ａとによって箱状に形成されており、上壁部３０１６ａとは反対側の面に開口である開口部３０１６ｃが形成されている。開口部３０１６ｃは、電源基板２５３ｂの実装面と対向するベース部３０１５の板面側に形成されている。また、装着部３０１６は、ベース部３０１５の短手方向の一方の端部に挿通孔部３０１６ｄが形成されている。挿通孔部３０１６ｄは、ベース部３０１５の短手方向において、装着部３０１６の内部空間と挿通する開口である。装着部３０１６の内部空間には、押え部３０１６ｂが形成されている。押え部３０１６ｂは、ベース部３０１５の短手方向において、装着部３０１６の挿通孔部３０１６ｄに対する反対側の端部に形成されている。押え部３０１６ｂは、略Ｕ字形状に形成された板状の部材であり、上壁部３０１６ａとの間に間隙を形成している。
【０１０８】
端部突起３０１８は、略直方体状の突起物であり、ベース部３０１５の一方の板面側から突出するように形成されている。端部突起３０１８は、ベース部３０１５において、装着部３０１６の突出面側と同じ板面側から突出するように形成されている。端部突起３０１８は、ベース部３０１５の長手方向におけるそれぞれの端部に形成されている。また、端部突起３０１８は、ベース部３０１５の長手方向におけるそれぞれの端部において、ベース部３０１５の短手方向に沿って２つ形成されている。
【０１０９】
接続部材カバー部３０１ｂは、ベース部３０１５の一方の板面側から突出するように、装着部３０１６及び端部突起３０１８が形成されている。また、接続部材カバー部３０１ｂは、ベース部３０１５の他方の板面側には、装着部３０１６の内部空間と連通する開口である開口部３０１６ｃが形成されている。また、接続部材カバー部３０１ｂは、ベース部３０１５の短手方向において、装着部３０１６の内部空間と連通する開口である挿通孔部３０１６ｄが形成されている。
【０１１０】
脚部３０５ｂは、絶縁材料を用いて形成される固定部３０３３、及び、固定部３０３３と一体形成された突出部３０３１ｂを備える。固定部３０３３は、接続部材カバー部３０１ｂの装着部３０１６に固定される部分である。固定部３０３３は、装着部３０１６の内部空間に配置される。固定部３０３３は、平面視で矩形の板状に形成されており、突出部３０３１ｂの軸方向の一方の端部に設けられている。固定部３０３３は、突出部３０３１ｂの径方向において、一方向に延びるように設けられている。そのため、脚部３０５ｂは、側面視において、固定部３０３３及び固定部３０３３によってＬ字形状に形成されている。固定部３０３３は、突出部３０３１ｂが設けられている側とは反対側の板面から突出するように固定部突起３０３４が設けられている。固定部突起３０３４は、球面状に突出した部分であり、固定部３０３３が装着部３０１６に取り付けられた際に、装着部３０１６に形成された嵌合孔３０１７と嵌合する部分である。
【０１１１】
突出部３０３１ｂは、円筒形状に形成されている。突出部３０３１ｂには、軸方向に沿って脚部挿通孔３０３５が形成されている。脚部挿通孔３０３５は、導電体３０２ｂが差し込まれる貫通孔である。突出部３０３１ｂは、一方の端部に固定部３０３３が一体に形成されており、他方の端部が先細り形状に形成されている。
【０１１２】
導電体３０２ｂは、図１９（ａ）及び図１９（ｂ）に示すように、棒状に形成され、第２端子部材２１３と接続される第２接続部３０２１と、弾性変形する平板状（扇状）に形成され、第１端子部材２５３１ｂと接触する第１接続部３０２２ｂとを有する。導電体３０２ｂは、脚部３０５ｂに挿通した状態で接続部材カバー部３０１ａに装着される。
【０１１３】
第２接続部３０２１は、突出部３０３１ｂの脚部挿通孔３０３５に挿通されている。接続部材３００ｂは、図１７（ｂ）に示すように、突出部３０３１ｂの先端部から第２接続部３０２１が突出する。そのため、接続部材３００ｂは、脚部３０５である突出部３０３１ｂの先端部に第２接続部３０２１が露出している。第２接続部３０２１は、突出部３０３１ｂの先端から突出しており、接続部材３００ｂが電源基板２５３ｂに配置された状態において、入力端子部材である第２端子部材２１３と接続する。すなわち、第２接続部３０２１は、接続部材３００ｂが電源基板２５３ｂに配置された状態において、光源基板接続部２１４と接続する。接続部材３００ｂは、第２接続部３０２１の接続時の反力に耐えるため、突出部３０３１ｂによって補強され、且つ電気絶縁が施されている。
【０１１４】
第１接続部３０２２ｂは、上述したように、弾性変形する平板状（扇状）に形成されている。突出部３０３１ｂの径方向において、第２接続部３０２１から第１接続部３０２２ｂの端部までの第１接続部３０２２ｂの幅は、突出部３０３１ｂの径方向の幅よりも大きくなるように形成されている。すなわち、第１接続部３０２２ｂは、突出部３０３１ｂの径方向において、突出部３０３１ｂから突出するように形成されている。第１接続部３０２２ｂは、突出部３０３１ｂにおいて、固定部３０３３の形成側とは反対側に突出するように配置されている。
【０１１５】
第１接続部３０２２ｂは、突出部３０３１ｂが突出する接続部材カバー部３０１ｂの突出面から露出するように、接続部材カバー部３０１ｂに配置されている。接続部材３００ｂが、電源基板２５３ｂに取り付けられると、接続部材カバー部３０１ｂに露出した第１接続部３０２２ｂが、第１端子部材２５３１ｂと重なるようにして接触する。したがって、第１接続部３０２２ｂは、接続部材３００ｂが電源基板２５３ｂに配置された状態において出力端子部材である第１端子部材２５３１ｂと接続する。すなわち、第１接続部３０２２ｂは、接続部材３００ｂが電源基板２５３ｂに配置された状態において電源基板接続部２５３０と接続する。
【０１１６】
［接続部材３００ｂの組み立て］
次に、接続部材３００ｂの組み立て手順について説明する。まず、導電体３０２ｂが、脚部３０５ｂにおける固定部３０３３の側から突出部３０３１ｂの脚部挿通孔３０３５に差し込まれる。
【０１１７】
次に、脚部３０５ｂの脚部挿通孔３０３５に導電体３０２ｂが差し込まれた状態で、固定部３０３３を、接続部材カバー部３０１ｂの装着部３０１６に対してスライドさせながら装着する。この際、脚部３０５ｂは、第１接続部３０２２ｂ側から固定部３０３３が挿通孔部３０１６ｄに挿入される。固定部３０３３が装着部３０１６に装着されると、固定部３０３３は、上壁部３０１６ａと押え部３０１６ｂとの間に配置される。脚部３０５ｂは、押え部３０１６ｂによって、突出部３０３１ｂの突出方向における固定部３０３３の移動が規制されるため、接続部材カバー部３０１ｂから外れることがない。また、固定部３０３３が装着部３０１６に装着されると、第１接続部３０２２ｂが、突出部３０３１ｂの突出面側の押え部３０１６ｂ上に配置される。すなわち、固定部３０３３が装着部３０１６に装着されると、第１接続部３０２２ｂが、接続部材カバー部３０１ｂから露出している。
【０１１８】
固定部３０３３が装着部３０１６に装着されると、固定部３０３３の固定部突起３０３４が、装着部３０１６の嵌合孔３０１７に嵌る。固定部突起３０３４が嵌合孔３０１７に嵌ると、固定部３０３３のスライドによる移動は規制され、脚部３０５ｂが装着部３０１６に固定される。
【０１１９】
［接続部材３００ｂの取り付け］
脚部３０５ｂは、光源基板２１１の実装面（表面）に突出部３０３１ｂの先端が突出するように、電源基板２５３ｂの実装面の側から、電源基板孔２５３２ｂ、電源本体部孔２５１１ｂ、取付部材孔２２０ｅｂ、及び、光源基板孔２１１１ｂの順に挿通される。
【０１２０】
この際、脚部３０５ｂに装着され突出部３０３１ｂから先端部が突出した導電体３０２ｂは、光源基板２１１の実装面（表面）に先端部が突出するように、各貫通孔に挿通される。具体的には、導電体３０２ｂは、電源基板２５３ａの実装面の側から、電源基板孔２５３２ｂ、電源本体部孔２５１１ｂ、取付部材孔２２０ｅｂ、及び、光源基板孔２１１１ｂの順に挿通される。光源ユニット２００は、電源装置２５０の側から発光体２１０の側に向かって導電体３０２ｂを挿通させている。導電体３０２ｂは、突出部３０３１ｂから露出した先端部（露出部）が第２端子部材２１３に接続される。
【０１２１】
照明装置１において、接続部である接続部材３００ｂは、第１基板である電源基板２５３ｂ、第２基板である光源基板２１１及び支持部材である取付部材２２０に形成されているそれぞれの貫通孔に挿通された状態で、給電端部と受電端部とに電気的に接続される。すなわち、照明装置１の接続部である接続部材３００ｂは、給電端部である第１端子部材２５３１ｂと、受電端部である第２端子部材２１３とに電気的に接続される。
【０１２２】
組み立てられた接続部材３００ｂは、電源本体部２５１ｂの切起し部２５１ｂ２を弾性変形させながら給電部１ａｂに取り付けられる。この際、接続部材３００ｂは、切起し部２５１ｂ２が端部突起３０１８の間に配置されるようにして取り付けられる。すなわち、切起し部２５１ｂ２は、接続部材３００ｂを給電部１ａｂに取り付ける際の位置決めガイドとして機能する。そして、接続部材３００ｂは、給電部１ａｂに取り付けられた状態では、ベース部３０１５が切起し部２５１ｂ２に引っ掛かるので、切起し部２５１ｂ２を意図的に変形させない限り接続部材３００ｂは電源本体部２５１ｂから外れることがない。ベース部３０１５は、切起し部２５１ｂ２に引っ掛かることによって、接続部材３００ｂの挿通方向に対して接続部材３００ｂの抜け止めとして機能する。すなわち、接続部材３００ｂは、電源基板２５３ｂに配置された状態で電源本体部２５１ｂと係合し、電源本体部２５１ｂに固定されている。換言すれば、接続部材３００ｂは、電源筐体部２５１と係合し、電源筐体部２５１に固定される。
【０１２３】
なお、接続部材３００ｂは、接続部材カバー部３０１ｂ、脚部３０５ｂ、及び、導電体３０２ｂを、それぞれが分離した個別の部品の状態のまま、次のような手順で光源ユニット２００を組み立てる工程に用いることができる。
【０１２４】
まず、給電部１ａｂに接続部材３００ｂが取り付けられていない電源装置２５０ｂと、発光体２１０とが、フレームである取付部材２２０に取り付けられる。次に、脚部３０５ｂが、電源基板２５３ｂの実装面の側から、電源基板孔２５３２ｂ、電源本体部孔２５１１ｂ、取付部材孔２２０ｅｂ、及び、光源基板孔２１１１ｂに挿通される。
【０１２５】
次に、導電体３０２ｂが、脚部３０５ｂの突出部３０３１ｂに形成された脚部挿通孔３０３５に差し込まれる。次に、接続部材カバー部３０１ｂの装着部３０１６が、スライドさせながら脚部３０５ｂの固定部３０３３に装着される。そして、固定部３０３３の固定部突起３０３４が装着部３０１６の嵌合孔３０１７に嵌ると、固定部３０３３の移動は規制され、脚部３０５ｂが装着部３０１６に固定される。
【０１２６】
光源ユニット２００の組み立て工程において、このような手順を採用する場合には、接続部材カバー部３０１ｂの装着性を勘案して、端部突起３０１８のうち、電源蓋部２５１ａの設置側の２つの端部突起３０１８については、削除してもよい。すなわち、接続部材カバー部３０１ｂをスムーズにスライドできるように、接続部材カバー部３０１ｂに形成される端部突起３０１８のうち、電源蓋部２５１ａの設置側の２つの端部突起３０１８については、削除してもよい。
【０１２７】
［接続部材３００ｂを備えた光源ユニット２００の作用効果］
接続部材３００ｂを備えた光源ユニット２００は、実施の形態１に係る光源ユニット２００と同様の作用効果を発揮する。また、接続部材３００ｂが給電部１ａｂに取り付けられた状態で、導電体３０２ｂは発光素子２１２を間にして（跨いで）第２端子部材２１３に接続される。光源ユニット２００は、導電体３０２ｂが発光素子２１２を跨ぐように接続部材３００ｂを配置させると、光源基板２１１に形成され、導電体３０２ｂに繋がる配線パターンを分散配置することによって、配線パターンのレイアウトの自由度が向上する。また、光源ユニット２００は、導電体３０２ｂが発光素子２１２を跨ぐように接続部材３００ｂを配置させると、発光素子２１２の上方に接続部材３００ｂを配置することができ、光源基板２１１を小型化することができる。
【０１２８】
また、光源ユニット２００は、配線パターンを分散配置することによって、発光素子２１２の動作熱の分散促進と均等分散化とに貢献することができる。そして、光源ユニット２００は、発光素子２１２の動作熱の分散促進と均等分散化とによって、光源基板２１１における伸縮の偏りを防止することができる。
【０１２９】
なお、給電部１ａｂは、電源基板２５３ｂの長手方向における端部に形成されているが、給電部１ａｂの形成位置は当該位置に限定されるものではなく、電源基板２５３ｂの長手方向における中央部に形成されてもよい。この場合、電源蓋部２５１ａは、接続部材３００ｂが給電部１ａｂに取り付けられた後に、接続部材３００ｂを覆った状態で電源本体部２５１ｂに固定される。このような構成とすることによって、給電部１ａｂと接続部材３００ｂとが確実に保護されるとともに、電源基板２５３ｂの長手方向における端部を他の機能部品等の配置に活用することができる。
【０１３０】
また、突出部３０３１ｂから露出した導電体３０２ｂの先端部（露出部）は、第２端子部材２１３に圧接（圧着）された状態で接続されるが、接続部分をハンダ等によって補強してもよい。さらに、光源ユニット２００は、第２端子部材２１３を用いずに、導電体３０２ｂの先端部が光源基板２１１に接続される構成としてもよい。
【０１３１】
実施の形態４．
図２０は、実施の形態４に係る接続部材３００ｃを説明する斜視図である。図２０（ａ）は、光源ユニット２００の分解斜視図である。図２０（ｂ）は、図２０（ａ）の接続部材３００ｃの上面側から見た拡大斜視図である。図２０（ｃ）は、図２０（ａ）の接続部材３００ｃの下面側から見た拡大斜視図である。図２１は、実施の形態４に係る接続部材３００ｃを説明する断面図である。図２１は、接続部材３００ｃの設置位置における光源ユニット２００の長手方向に対する垂直断面図であり、図２２のＬ−Ｌ線断面図である。図２２は、実施の形態４に係る接続部材３００ｃを説明する別の断面図である。図２２（ａ）は、接続部材３００ｃの設置位置における光源ユニット２００の短手方向に対する垂直断面図であり、図２１のＭ−Ｍ線断面図である。図２２（ｂ）は、接続部材３００ｃの設置位置における光源ユニット２００の短手方向に対する他の垂直断面図であり、図２１のＯ−Ｏ線断面図である。なお、図１〜図１９の照明装置１と同一の構成を有する部位には同一の符号を付してその説明を省略する。実施の形態４に係る接続部材３００ｃは、実施の形態１に係る接続部材３００と異なる特徴を有するものである。したがって、以下の説明では、図２０〜図２２を用いて、実施の形態４に係る接続部材３００ｃの構成と接続部材３００ｃが配置される部材の構成とを中心に説明する。
【０１３２】
＜実施の形態１と異なる主な特徴＞
［接続部材３００ｃが配置される部材］
図２０〜図２２に示すように、実施の形態４における、電源基板２５３及び第１端子部材２５３１、並びに、これらを備える給電部１ａは、実施の形態１と同じ態様となっている。また、実施の形態４における、光源基板孔２１１１、取付部材孔２２０ｅ、及び、電源基板孔２５３２は、実施の形態１と同じ態様となっている。なお、実施の形態４において、これらの構成における態様は実施の形態１と異なる態様であってもよい。これらの構成と接続部材３００ｃとの関係については後述し、まず接続部材３００ｃの構成について説明する。
【０１３３】
［接続部材３００ｃの構成］
図２３は、実施の形態４に係る接続部材３００ｃの詳細構造を説明する斜視図である。
図２３（ａ）は、図２０（ｂ）の接続部材３００ｃの上面側から見た分解斜視図である。図２３（ｂ）は、図２３（ａ）の接続部材カバー部３０１ｃを下面側から見た斜視図である。図２０（ｂ）、図２０（ｃ）及び図２３を用いて接続部材３００ｃの構成について説明する。接続部材３００ｃは、絶縁材料を用いて形成された接続部材カバー部３０１ｃと、絶縁材料を用いて形成された接続部材蓋部３０３ｃと、導電材料を用いて形成された導電体３０２ｃとを有する。接続部材カバー部３０１ｃ、接続部材蓋部３０３ｃ、及び、導電体３０２ｃは、それぞれが分離可能の個別の部品であり、これらが組み立てられることによって、接続部材３００ｃを構成する。接続部材３００ｃは、接続部材カバー部３０１ｃ、接続部材蓋部３０３ｃ及び導電体３０２ｃによって筐体部３０４が構成され、突出部３０３１ｃ及び導電体３０２ｃによって脚部３０５ｃが構成されている。
【０１３４】
接続部材カバー部３０１ｃは、略矩形状に形成された天面部３０１０ａｃと、４側面を構成する側面部３０１０ｂｃとを有し、天面部３０１０ａｃと対向する底面部３０１０ｃの側の一部が開口した箱状に形成されている。
【０１３５】
接続部材カバー部３０１ｃは、天面部３０１０ａｃの長手方向における一方の端部側に、側面部３０１０ｂｃと繋がるように一体不可分に形成された接続部材固定部３０１９を有する。接続部材固定部３０１９は、側面部３０１０ｂｃの外側の領域に、天面部３０１０ａｃから離れる向きに延設されている。より詳細には、接続部材固定部３０１９は、底面部３０１０ｃ側から突出する突出壁部３０１９ｂと、突出壁部３０１９ｂの先端において曲折し、底面部３０１０ｃから離れる向きに延設されている板状の接続板部３０１９ａとを有する。突出壁部３０１９ｂは、底面部３０１０ｃに対して脚部３０５ｃと同じ方向に突出している。接続部材固定部３０１９は、突出壁部３０１９ｂ及び接続板部３０１９ａによって側面視で略Ｌ字形状に形成されている。
【０１３６】
接続部材固定部３０１９の接続板部３０１９ａには、固定具４０３を挿通するための固定具挿通部３０１９ａｃが形成されている。固定具４０３は、電源装置２５０をフレームである取付部材２２０に取り付けるために用いる部材である。実施の形態４において、固定具挿通部３０１９ａｃは、接続部材固定部３０１９の端部側が開いた凹形状を呈しているが、接続部材固定部３０１９の端部側が閉じた貫通孔であってもよい。
【０１３７】
接続部材蓋部３０３ｃは、接続部材カバー部３０１ｃの開口部の少なくとも一部を覆った状態で、接続部材カバー部３０１ｃの底面部３０１０ｃに取り付けられる。
【０１３８】
接続部材蓋部３０３ｃは、図２０（ｃ）に示すように、突出部３０３１ｃを有する。突出部３０３１ｃは、円筒形状に形成されている。突出部３０３１ｃには、軸方向に沿って脚部挿通孔３０３５ｃが形成されている。脚部挿通孔３０３５は、導電体３０２ｂが差し込まれる貫通孔であり、脚部挿通孔３０３５には、導電体３０２ｃの第２接続部３０２１ｃが挿通される。接続部材３００ｃは、突出部３０３１ｃの先端部から第２接続部３０２１ｃが突出する。そのため、接続部材３００ｃの脚部３０５ｃは、突出部３０３１ｃの先端部に第２接続部３０２１ｃが露出している。接続部材蓋部３０３ｃは、第２接続部３０２１ｃの接続時の反力に耐えるため、突出部３０３１ｃによって補強され、且つ電気絶縁が施されている。
【０１３９】
接続部材蓋部３０３ｃには、図２０（ｃ）及び図２３（ａ）に示すように、複数の開口部３０３２ｃが形成されている。接続部材３００ｃは、図２０（ｃ）に示すように、接続部材カバー部３０１ｃと、複数の導電体３０２ｃと、接続部材蓋部３０３ｃとが組み合わされると、開口部３０３２ｃに第１接続部３０２２ｃが露出する。したがって、第１接続部３０２２ｃは、筐体部３０４に露出している。
【０１４０】
接続部材３００ｃは、図２３に示すように、ガイド挿入部３０１３ｃとガイド突起部３０３６ｃとによって、接続部材蓋部３０３ｃと接続部材カバー部３０１ｃとの位置決めが行われる。そして、接続部材３００ｃは、内部に導電体３０２ｃを収容して接続部材蓋部３０３ｃと接続部材カバー部３０１ｃとが嵌合する。なお、ガイド挿入部３０１３ｃは、接続部材カバー部３０１ｃの内部に設けられた非貫通孔である。ガイド突起部３０３６ｃは、接続部材蓋部３０３ｃに設けられた柱状の突起物であり、接続部材カバー部３０１ｃと接続部材蓋部３０３ｃとを組み合わせる際にガイド挿入部３０１３ｃに挿入される。
【０１４１】
導電体３０２ｃは、棒状に形成され、光源基板孔２１１１に挿通され、光源基板２１１に接続される第２接続部３０２１ｃと、弾性変形する平板状に形成され、第１端子部材２５３１と接触する第１接続部３０２２ｃとを有する。導電体３０２ｃは、接続部材蓋部３０３ｃと接続部材カバー部３０１ｃとが嵌合することにより、接続部材カバー部３０１ｃと接続部材蓋部３０３ｃとによって支持される。
【０１４２】
第２接続部３０２１ｃは、突出部３０３１ｃの先端から突出しており、接続部材３００ｃが電源基板２５３に配置された状態において、光源基板２１１に接続される。光源ユニット２００は、光源基板２１１に入力端子部である第２端子部材２１３を配置して、第２端子部材２１３に第２接続部３０２１ｃを接続する構成としてもよい。すなわち、第２接続部３０２１ｃは、接続部材３００ｃが電源基板２５３に配置された状態において、光源基板接続部２１４と接続する。
【０１４３】
接続部材３００ｃが、電源基板２５３に取り付けられると、開口部３０３２ｃから露出した第１接続部３０２２ｃが、第１端子部材２５３１と重なるようにして接触する。したがって、第１接続部３０２２ｃは、接続部材３００ｃが電源基板２５３に配置された状態において出力端子部材である第１端子部材２５３１と接続する。すなわち、第１接続部３０２２ｃは、接続部材３００ｃが電源基板２５３に配置された状態において電源基板接続部２５３０と接続する。
【０１４４】
［接続部材３００ｃの取り付け］
接続部材３００ｃの脚部３０５ｃは、光源基板２１１の実装面（表面）に第２接続部３０２１ｃの先端が突出するように、電源基板２５３の実装面の側から、電源基板孔２５３２、電源本体部孔２５１１及び取付部材孔２２０ｅの順に挿通される。この際、導電体３０２ｃの第２接続部３０２１ｃは、電源基板２５３の実装面の側から、電源基板孔２５３２、電源本体部孔２５１１、取付部材孔２２０ｅ、及び、光源基板孔２１１１の順に挿通される。光源ユニット２００は、電源装置２５０の側から発光体２１０の側に向かって導電体３０２ｃを挿通させている。
【０１４５】
照明装置１において、接続部である接続部材３００ｃは、第１基板である電源基板２５３、第２基板である光源基板２１１及び支持部材である取付部材２２０に形成されているそれぞれの貫通孔に挿通された状態で、給電端部と受電端部とに電気的に接続される。すなわち、照明装置１の接続部である接続部材３００ｃは、給電端部である第１端子部材２５３１と、受電端部である光源基板２１１とに電気的に接続される。
【０１４６】
接続部材３００ｃは、図２０（ａ）に示すように、固定具４０３に螺着される固定補助具４０４を用いて、接続部材カバー部３０１ｃに形成された接続部材固定部３０１９が電源本体部２５１ｂに固定されることにより、電源装置２５０に取り付けられる。固定補助具４０４は、例えば、ナットである。固定具４０３は、接続部材固定部３０１９の固定具挿通部３０１９ａｃ内に挿通され、固定具挿通部３０１９ａｃの内縁部内に配置される。接続部材固定部３０１９は、固定補助具４０４による固定に起因するクレイジング、クリープ、あるいは、塑性変形等を発生させないように大きさ及び形状が決定される。また、固定補助具４０４による固定は、弾性変形するバネワッシャ（図示は省略）等を併用することによって、接続部材固定部３０１９に加わる残留応力を抑制することもできる。
【０１４７】
接続部材３００ｃは、接続部材カバー部３０１ｃ、接続部材蓋部３０３ｃ、及び、導電体３０２ｃが組み立てられた状態で給電部１ａｂに取り付けられてもよい。また、接続部材３００ｃは、接続部材カバー部３０１ｃ、接続部材蓋部３０３ｃ、及び、導電体３０２ｃのそれぞれが分離した個別の部品の状態のまま、光源ユニット２００が組み立てられる工程に用いられてもよい。
【０１４８】
［接続部材３００ｃを備えた光源ユニット２００の作用効果］
また、接続部材３００ｃを備えた光源ユニット２００は、実施の形態１に係る光源ユニット２００と同様の作用効果を発揮する。例えば、光源ユニット２００は、電源装置２５０と光源部２１５との電気的接続を構成する際に、電線の配線を行う必要がなく、接続部材３００ｃを差し込むのみで容易に電気的接続作業が完了し、光源ユニット２００の組立工程の簡略化を図ることができる。
【０１４９】
実施の形態５．
図２４は、実施の形態５に係る接続部材３００ｄを説明する斜視図である。図２４（ａ）は、光源ユニット２００の分解斜視図である。図２４（ｂ）は、図２４（ａ）の接続部本体部３０６の上面側から見た拡大斜視図である。図２４（ｃ）は、図２４（ａ）の接続部本体部３０６の下面側から見た拡大斜視図である。なお、図２４（ｂ）及び図２４（ｃ）には、導電体３０２ｄを破線で示している。図２５は、実施の形態５に係る接続部材３００ｄを説明する上面図である。図２５（ａ）は、光源ユニット２００の拡大上面図である。図２５（ｂ）は、図２５（ａ）の接続部材カバー部３０１ｄを取り外した状態の電源基板２５３ｄの拡大上面図である。図２５（ｃ）は、図２５（ｂ）の接続部本体部３０６を取り外した状態の電源基板２５３ｄの拡大上面図である。図２６は、実施の形態５に係る接続部材３００ｄを説明する断面図である。図２６（ａ）は、接続部材３００ｄの設置位置における光源ユニット２００の短手方向に対する垂直断面図であり、図２６（ｂ）のＳ−Ｓ線断面図である。図２６（ｂ）は、接続部材３００ｄの設置位置における光源ユニット２００の長手方向に対する垂直断面図であり、図２６（ａ）のＱ−Ｑ線断面図である。なお、図１〜図２３の照明装置１と同一の構成を有する部位には同一の符号を付してその説明を省略する。実施の形態５に係る接続部材３００ｄは、実施の形態１に係る接続部材３００と異なる特徴を有するものである。したがって、以下の説明では、図２４〜図２６を用いて、実施の形態５に係る接続部材３００ｄの構成と接続部材３００ｄが配置される部材の構成とを中心に説明する。
【０１５０】
＜実施の形態１と異なる主な特徴＞
［接続部材３００ｄが配置される部材］
図２４〜図２６に示すように、光源基板孔２１１１、取付部材孔２２０ｅ、及び、電源基板孔２５３２は、実施の形態１と同じ態様となっている。なお、実施の形態５において、これらの態様は実施の形態１と異なる態様であってもよい。電源基板２５３ｄには、第１端子部材３０６２の実装部３０６２ｂを挿通させるための実装孔２５３３が形成されている。実装孔２５３３は、給電部１ａｄの構成要素の１つである。これらの構成と接続部材３００ｄとの関係については後述し、まず接続部材３００ｄの構成について説明する。
【０１５１】
［接続部材３００ｄの構成］
実施の形態５における接続部材３００ｄは、絶縁材料を用いて形成される接続部材カバー部３０１ｄと、電源基板２５３ｄに実装される接続部本体部３０６と、導電材料を用いて形成される導電体３０２ｄとを有する。接続部材３００ｄは、電源本体部２５１ｂに固定される接続部材カバー部３０１ｄが、接続部本体部３０６と導電体３０２ｄとを覆う構成となっている。接続部本体部３０６は、電源基板２５３ｄに実装されることによって給電部１ａｄに配置され、給電部１ａｄと電気的に接続される。導電体３０２ｄは、接続部本体部３０６と光源基板２１１とを電気的に接続する。接続部材３００ｄは、接続部材カバー部３０１ｄ、接続部本体部３０６、及び、導電体３０２ｄによって筐体部３０４が構成され、導電体３０２ｄによって脚部３０５ｄが構成されている。
【０１５２】
接続部材カバー部３０１ｄは、略矩形状に形成された天面部３０１０ａｄと、４側面を構成する側面部３０１０ｂｄとを有し、天面部３０１０ａｄと対向する底面部３０１０ｄの側の一部が開口した箱状に形成されている。天面部３０１０ａｄと側面部３０１０ｂｄとに囲まれた収容部３０１０ｅは、接続部本体部３０６を収容可能な形状と大きさとに形成されている。そして、接続部材カバー部３０１ｄは、接続部材固定部３０１９ｄを有している。接続部材固定部３０１９ｄは、例えば、実施の形態４に記載した態様と同等の態様である。
【０１５３】
図２７は、実施の形態５に係る接続部本体部３０６の詳細構造を説明する斜視図である。図２７（ａ）は、図２４（ｂ）の接続部本体部３０６を上面側から見た分解斜視図である。図２７（ｂ）は、図２４（ｃ）の接続部本体部３０６を下面側から見た斜視図である。図２７（ａ）、図２７（ｂ）及び図２４を用いて接続部本体部３０６の構成について説明する。
【０１５４】
接続部本体部３０６は、コネクタ部であり、図２４及び図２７に示すように、絶縁材料を用いて形成される本体筐体部３０６０と、導電材料を用いて形成される第１端子部材３０６２と、絶縁材料を用いて形成される本体蓋部３０６１と、を有する。
【０１５５】
本体筐体部３０６０は、図２７（ｂ）に示すように、一面が開口し全体として箱状に形成された外郭部３０６０ａと、外郭部３０６０ａの内部に形成され第１端子部材３０６２が装着される端子部材装着部３０６０ｂとを有する。本体筐体部３０６０は、図２４（ｂ）及び図２７（ａ）に示すように、外郭部３０６０ａの開口と反対側に形成された貫通孔であり、導電体３０２ｄが挿通される導電体挿通部３０６０ｃを有する。また、本体筐体部３０６０は、図２４（ｂ）及び図２７（ａ）に示すように、導電体３０２ｄが保持される導電体固定部３０６０ｄを有する。導電体固定部３０６０ｄは、導電体挿通部３０６０ｃと連通するように、外郭部３０６０ａの開口と反対側の面に形成されており、導電体挿通部３０６０ｃから縁部まで延びるように形成された溝である。さらに、本体筐体部３０６０は、図２７（ｂ）に示すように、外郭部３０６０ａの内部における端子部材装着部３０６０ｂ以外の場所に形成されたガイド挿入部３０６０ｅを有する。ガイド挿入部３０６０ｅは、外郭部３０６０ａの内部に設けられた非貫通孔である。
【０１５６】
第１端子部材３０６２は、図２７に示すように、弾性変形する平板状に形成され、導電体３０２ｄと接触する導電体接続部３０６２ａと、平板状に形成され、外郭部３０６０ａの開口から外郭部３０６０ａの外に突き出る実装部３０６２ｂとを有する。実装部３０６２ｂは、電源基板２５３ｄに実装される接続部本体部３０６と電源基板２５３ｄとを電気接続するための端子である。実装部３０６２ｂは、棒状に形成されてもよい。
【０１５７】
本体蓋部３０６１は、図２７（ａ）に示すように、略矩形の平板状に形成されており、外郭部３０６０ａの開口の少なくとも一部を覆うように本体筐体部３０６０に取り付けられる。本体蓋部３０６１には、実装部３０６２ｂを挿通させるための挿通部３０６５と、外郭部３０６０ａのガイド挿入部３０６０ｅに嵌合するガイド突起部３０６６とが形成されている。挿通部３０６５は、挿通溝である。ガイド突起部３０６６は、ガイド挿入部３０６０ｅとの関係によって、本体蓋部３０６１が本体筐体部３０６０に取り付けられる位置を決めるための位置決め用の突起部である。ガイド突起部３０６６は、本体蓋部３０６１に設けられた柱状の突起物であり、本体蓋部３０６１と、本体筐体部３０６０とを組み合わせる際にガイド挿入部３０６０ｅに挿入される。ガイド突起部３０６６がガイド挿入部３０６０ｅと嵌合することによって、第１端子部材３０６２は、本体筐体部３０６０と本体蓋部３０６１との間に保持される。本体蓋部３０６１が本体筐体部３０６０に取り付けられた状態で、実装部３０６２ｂは挿通部３０６５より外側に露出する。したがって、実装部３０６２ｂは、接続部本体部３０６から露出し、また、筐体部３０４から露出している。
【０１５８】
導電体３０２ｄは、図２４（ａ）に示すように、棒状に形成されている。導電体３０２ｄは、導電体挿通部３０６０ｃから光源基板孔２１１１に挿通され、一端側が光源基板２１１に接続される第２接続部３０２１ｄと、他端側の屈曲部であり、導電体固定部３０６０ｄに保持される第１接続部３０２２ｄとを有する。光源ユニット２００は、電源装置２５０の側から発光体２１０の側に向かって導電体３０２ｄを挿通させている。導電体３０２ｄは、第１接続部３０２２ｄが導電体固定部３０６０ｄに保持されることによって、導電体３０２ｄの挿通寸法が規制されると共に、第２接続部３０２１ｄに重なる回転軸を基準とする導電体３０２ｄの回転が規制される。なお、第１接続部３０２２ｄ及び第２接続部３０２１ｄの形状は、棒状に限定されるものではなく、例えば、板状等、棒状以外の形状であってもよい。また、第１接続部３０２２ｄ及び第２接続部３０２１ｄは、互いに異なる形状であってもよい。例えば、第１接続部３０２２ｄ及び第２接続部３０２１ｄは、一方が棒状に形成され、他方が板状に形成されてもよい。
【０１５９】
第２接続部３０２１ｄは、接続部本体部３０６から突出しており、接続部材３００ｄが電源基板２５３ｄに配置された状態において、光源基板２１１に接続される。光源ユニット２００は、光源基板２１１に入力端子部である第２端子部材２１３を配置して、第２端子部材２１３に第２接続部３０２１ｄを接続する構成としてもよい。すなわち、第２接続部３０２１ｄは、接続部材３００ｄが電源基板２５３ｄに配置された状態において、光源基板接続部２１４と接続する。
【０１６０】
接続部材３００ｄが、電源基板２５３ｄに取り付けられると、接続部本体部３０６の挿通部３０６５より外側に露出した実装部３０６２ｂが、実装孔２５３３に挿通される。実装孔２５３３には、実装部３０６２ｂが電気接続可能な配線パッド、あるいは、スルーホール等が形成された電源基板接続部２５３０を構成している。すなわち、実装部３０６２ｂは、接続部材３００ｄが電源基板２５３ｄに配置された状態において電源基板接続部２５３０と接続する。接続部本体部３０６は、電源基板２５３ｄの実装面側に配置され、非実装面から突き出た実装部３０６２ｂが非実装面に設けられた電極（図示は省略）に半田等を用いて接続される。
【０１６１】
［接続部材３００ｄの取り付け］
導電体３０２ｄの第２接続部３０２１ｄは、電源基板２５３ｄの実装面の側から、電源基板孔２５３２、電源本体部孔２５１１、取付部材孔２２０ｅ、及び、光源基板孔２１１１の順に挿通される。光源ユニット２００は、電源装置２５０の側から発光体２１０の側に向かって導電体３０２ｄを挿通させている。
【０１６２】
照明装置１において、接続部である接続部材３００ｄは、第１基板である電源基板２５３ｄ、第２基板である光源基板２１１及び支持部材である取付部材２２０に形成されているそれぞれの貫通孔に挿通された状態で、給電端部と受電端部とに電気的に接続される。すなわち、照明装置１の接続部である接続部材３００ｄは、給電端部である電源基板２５３ｄに形成された実装孔２５３３と、受電端部である光源基板２１１とに電気的に接続される。
【０１６３】
接続部材３００ｄは、実施の形態４と同様に、固定具４０３に螺着される固定補助具４０４を用いて、接続部材カバー部３０１ｄに形成された接続部材固定部３０１９ｄが電源本体部２５１ｂに固定されることにより、電源装置２５０に取り付けられる。固定補助具４０４は、例えば、ナットである。固定具４０３は、接続部材固定部３０１９ｄの固定具挿通部３０１９ａｄに挿通され、固定具挿通部３０１９ａｄの内縁部内に配置される。
【０１６４】
なお、接続部材カバー部３０１ｄは、導電体３０２ｄと接触しない構造であれば金属材料を用いて形成されてもよい。また、この際、導電体３０２ｄと電気的に絶縁する目的で絶縁シート（図示は省略）等を介在させてもよい。接続部材カバー部３０１ｄを金属材料で形成することは、クレイジング、クリープ、塑性変形といった樹脂材料のリスクを解決する有効な構成といえる。
【０１６５】
［接続部材３００ｄを備えた光源ユニット２００の作用効果］
また、接続部材３００ｄを備えた光源ユニット２００は、実施の形態１に係る光源ユニット２００と同様の作用効果を発揮する。例えば、光源ユニット２００は、電源装置２５０と光源部２１５との電気的接続を構成する際に、電線の配線を行う必要がなく、接続部材３００ｄを差し込むのみで容易に電気的接続作業が完了し、光源ユニット２００の組立工程の簡略化を図ることができる。また、光源ユニット２００は、接続部材３００ｄを差し込むだけで取り付けが完了するため自動機による固定が可能であり、組立性が向上するものである。また、接続部材３００ｄは、給電端部である電源基板２５３ｄに形成された実装孔２５３３と、受電端部である光源基板２１１とに電気的に接続される。そのため、接続部材３００ｄは、電源基板２５３ｄ及び光源基板２１１に確実に固定され、光源ユニット２００は、照明装置１の設置姿勢、振動及び伸縮等に起因する導電体３０２ｄの接触維持に係る信頼性を確保することができる。また、光源ユニット２００は、導電体接続部３０６２ａに対して導電体３０２ｄが傾いていたとしても、導電体接続部３０６２ａの弾性力により導電体接続部３０６２ａと導電体３０２ｄとを接触させることができる。そのため、光源ユニット２００は、照明装置１の設置姿勢、振動及び伸縮等に起因する導電体３０２ｄの接触維持に係る信頼性を確保することができる。
【０１６６】
実施の形態６．
図２８は、実施の形態６に係る光源ユニット２００の分解斜視図である。なお、図１〜図２７の照明装置１と同一の構成を有する部位には同一の符号を付してその説明を省略する。実施の形態６に係る光源ユニット２００は、電源装置２５０から発光体２１０への給電経路において、実施の形態１に係る光源ユニット２００と異なる特徴を有するものである。したがって、以下の説明では、実施の形態６に係る光源ユニット２００の構成を中心に説明する。
【０１６７】
＜実施の形態１と異なる主な特徴＞
実施の形態６に係る光源ユニット２００は、電源基板２５３ｅと電源本体部２５１ｂとの間に配置された電源側接続部材３０７と、電源側接続部材３０７と光源基板２１１ｅとの間に配置された光源側接続部材２１６とを嵌合させる。電源側接続部材３０７は、電源側コネクタであり、光源側接続部材２１６は、光源側コネクタである。実施の形態６に係る光源ユニット２００は、電源側コネクタである電源側接続部材３０７と、光源側コネクタである光源側接続部材２１６とを嵌合させることによって、電源装置２５０から発光体２１０への給電経路を形成する。
【０１６８】
図２９は、実施の形態６に係る電源装置２５０の分解斜視図である。図２８及び図２９を用いて電源側接続部材３０７について説明する。電源側接続部材３０７は、一面が開口し箱状に形成された電源側接続筐体部３０７０と、棒状に形成された電源側接続端子３０７１とを有する。電源側接続端子３０７１が、電源側接続筐体部３０７０の開口部３０７０ｂと反対側の上壁部３０７０ａを貫通するように、電源側接続端子３０７１は、電源側接続筐体部３０７０にインサートモールディングされている。電源側接続端子３０７１の一端側は、開口部３０７０ｂから突出しないように電源側接続筐体部３０７０の内部に配置される。
【０１６９】
電源側接続筐体部３０７０は、絶縁材料で形成されており、電源基板２５３ｅにおける光源基板２１１ｅ側の面に取り付けられる。すなわち、電源側接続筐体部３０７０は、上壁部３０７０ａが、電源基板２５３ｅにおける光源基板２１１ｅ側の面と対向するように、電源基板２５３ｅに取り付けられる。電源側接続端子３０７１は、導電材料で形成されている。電源側接続筐体部３０７０の上壁部３０７０ａの外側に貫通した電源側接続端子３０７１の他端側は、電源基板２５３ｅに形成された電源基板孔２５３２ｅに挿通され、はんだ等を用いて電源基板２５３ｅに形成された配線パターンと接続される。電源基板２５３ｅに形成された配線パターンは、電源基板接続部２５３０であり、電源側接続部材３０７を電源基板２５３ｅに取り付けることによって、電源側接続部材３０７の電源側接続端子３０７１は、電源基板接続部２５３０と接続される。
【０１７０】
図３０は、実施の形態６に係る発光体２１０ｅと光源側接続部材２１６との分解斜視図である。図２８及び図３０を用いて光源側接続部材２１６について説明する。光源側接続部材２１６は、電源側接続筐体部３０７０の内部に嵌め込み可能な形状に形成される光源側接続筐体部２１６０と、両端部が露出するように、光源側接続筐体部２１６０にインサートモールディングされた光源側接続端子２１６１とから構成される。
【０１７１】
光源側接続筐体部２１６０は、絶縁材料で形成されており、光源基板２１１ｅにおける電源基板２５３ｅ側の面に取り付けられる。光源側接続端子２１６１は、導電材料で形成されている。光源側接続端子２１６１の一端側は、弾性変形する平板状に形成されており、光源側接続部材２１６が電源側接続筐体部３０７０の内部に嵌め込まれた状態で、電源側接続端子３０７１の一端側と接続される。光源側接続端子２１６１の他端側は、光源基板孔２１１１ｅに挿通され、はんだ等を用いて光源基板２１１ｅに形成された配線パターンと接続される。光源基板２１１ｅに形成された配線パターンは、光源基板接続部２１４であり、光源側接続部材２１６を光源基板２１１ｅに取り付けることによって、光源側接続部材２１６の光源側接続端子２１６１は、光源基板接続部２１４と接続される。
【０１７２】
図３１は、実施の形態６に係る光源ユニット２００の拡大上面図である。図３２は、実施の形態６に係る光源ユニット２００の断面図である。図２８及び図３２に示すように、電源本体部２５１ｂｅには、光源側接続部材２１６と接続される電源側接続部材３０７が通過可能な電源基板孔２５３２ｅが形成されている。また、フレームである取付部材２２０には、電源側接続部材３０７と接続される光源側接続部材２１６が通過可能な取付部材孔２２０ｅｅが形成されている。
【０１７３】
電源側接続部材３０７は、取付部材孔２２０ｅｅから突出しないように、電源基板２５３ｅと電源本体部２５１ｂｅとの間に配置される。光源ユニット２００は、このように構成されることによって、電源側接続部材３０７が電源本体部２５１ｂｅによって保護される。そのため、光源ユニット２００は、電源装置２５０の組み立て時、あるいは、光源ユニット２００の組み立て時に、電源側接続部材３０７を損傷させるおそれがない。
【０１７４】
光源側接続部材２１６は、取付部材孔２２０ｅｅからの突出寸法が保持側面部２２０ｂの立ち上がり寸法よりも小さくなるように形成されている。光源ユニット２００は、このように構成されることによって、光源側接続部材２１６がフレームである取付部材２２０によって保護される。そのため、光源ユニット２００は、光源ユニット２００の組み立て時に、光源側接続部材２１６を損傷させるおそれがない。
【０１７５】
［実施の形態６に係る光源ユニット２００の作用効果］
実施の形態６に係る光源ユニット２００は、実施の形態１に係る光源ユニット２００と同様の作用効果を発揮する。そのため、例えば、光源ユニット２００は、電源装置２５０と光源部２１５との電気的接続を構成する際に、電線の配線を行う必要がなく、容易に電気的接続作業が完了し、光源ユニット２００の組立工程の簡略化を図ることができる。
【符号の説明】
【０１７６】
１  照明装置、１ａ  給電部、１ａａ  給電部、１ａｂ  給電部、１ａｄ  給電部、１００  器具本体、１１０  取付部、１１１  収容凹部、１１１ａ  底部、１１１ａａ  電源引込孔、１１１ａｂ  固定孔、１１１ｂ  側部、１１１ｃ  開口、１１２  鍔部、１１３  傾斜部、１２０  側板、１２１  側板本体部、１２２  側板鍔部、１３０  端子台、１３１  端子台本体部、１３２  端子台接続部、１３２ａ  端子台電線、１３２ｂ  端子台コネクタ、１４０  バネ、１４１  バネ固定部、１４２  バネ円弧部、１４３  バネ先端部、２００  光源ユニット、２１０  発光体、２１０ｅ  発光体、２１１  光源基板、２１１ｅ  光源基板、２１２  発光素子、２１３  第２端子部材、２１３ａ  第２端子部材、２１４  光源基板接続部、２１５  光源部、２１６  光源側接続部材、２２０  取付部材、２２０ａ  保持正面部、２２０ａ１  第１面部、２２０ａ２  第２面部、２２０ｂ  保持側面部、２２０ｅ  取付部材孔、２２０ｅａ  取付部材孔、２２０ｅｂ  取付部材孔、２２０ｅｅ  取付部材孔、２３０  カバー部材、２３１  カバー円弧部、２３２  カバー側部、２４０  蓋、２４１  蓋端面部、２４２  蓋側面部、２５０  電源装置、２５０ｂ  電源装置、２５１  電源筐体部、２５１ａ  電源蓋部、２５１ｂ  電源本体部、２５１ｂ１  本体部固定孔、２５１ｂ２  切起し部、２５１ｂｅ  電源本体部、２５２  電源接続部、２５２ａ  電源電線、２５２ｂ  電源コネクタ、２５３  電源基板、２５３ａ  電源基板、２５３ｂ  電源基板、２５３ｄ  電源基板、２５３ｅ  電源基板、２６０  連結金具、２６１  金具固定部、２６２  バネ連結部、２６２ａ  連結開口部、３００  接続部材、３００ａ  接続部材、３００ｂ  接続部材、３００ｃ  接続部材、３００ｄ  接続部材、３０１  接続部材カバー部、３０１ａ  接続部材カバー部、３０１ｂ  接続部材カバー部、３０１ｃ  接続部材カバー部、３０１ｄ  接続部材カバー部、３０２  導電体、３０２ａ  導電体、３０２ｂ  導電体、３０２ｃ  導電体、３０２ｄ  導電体、３０３  接続部材蓋部、３０３ｃ  接続部材蓋部、３０４  筐体部、３０５  脚部、３０５ａ  脚部、３０５ｂ  脚部、３０５ｃ  脚部、３０５ｄ  脚部、３０６  接続部本体部、３０７  電源側接続部材、３５０ａ  脚部、４０１  固定用孔、４０３  固定具、４０４  固定補助具、２１１１  光源基板孔、２１１１ａ  光源基板孔、２１１１ｂ  光源基板孔、２１１１ｅ  光源基板孔、２１６０  光源側接続筐体部、２１６１  光源側接続端子、２５１１  電源本体部孔、２５１１ａ  電源本体部孔、２５１１ｂ  電源本体部孔、２５１２  蓋側壁部、２５３０  電源基板接続部、２５３１  第１端子部材、２５３１ａ  第１端子部材、２５３１ｂ  第１端子部材、２５３２  電源基板孔、２５３２ａ  電源基板孔、２５３２ｂ  電源基板孔、２５３２ｅ  電源基板孔、２５３３  実装孔、３０１０ａ  天面部、３０１０ａｃ  天面部、３０１０ａｄ  天面部、３０１０ｂ  側面部、３０１０ｂｃ  側面部、３０１０ｂｄ  側面部、３０１０ｃ  底面部、３０１０ｄ  底面部、３０１０ｅ  収容部、３０１１  側壁部、３０１２  突起、３０１３  ガイド挿入部、３０１３ｃ  ガイド挿入部、３０１４  鍔部、３０１５  ベース部、３０１６  装着部、３０１６ａ  上壁部、３０１６ｂ  押え部、３０１６ｃ  開口部、３０１６ｄ  挿通孔部、３０１７  嵌合孔、３０１８  端部突起、３０１９  接続部材固定部、３０１９ａ  接続板部、３０１９ａｃ  固定具挿通部、３０１９ａｄ  固定具挿通部、３０１９ｂ  突出壁部、３０１９ｄ  接続部材固定部、３０２１  第２接続部、３０２１ａ  第２接続部、３０２１ｃ  第２接続部、３０２１ｄ  第２接続部、３０２２  第１接続部、３０２２ａ  第１接続部、３０２２ｂ  第１接続部、３０２２ｃ  第１接続部、３０２２ｄ  第１接続部、３０３１  突出部、３０３１ａ  突出部、３０３１ｂ  突出部、３０３１ｃ  突出部、３０３２  開口部、３０３２ｃ  開口部、３０３３  固定部、３０３４  固定部突起、３０３５  脚部挿通孔、３０３５ｃ  脚部挿通孔、３０３６ｃ  ガイド突起部、３０６０  本体筐体部、３０６０ａ  外郭部、３０６０ｂ  端子部材装着部、３０６０ｃ  導電体挿通部、３０６０ｄ  導電体固定部、３０６０ｅ  ガイド挿入部、３０６１  本体蓋部、３０６２  第１端子部材、３０６２ａ  導電体接続部、３０６２ｂ  実装部、３０６５  挿通部、３０６６  ガイド突起部、３０７０  電源側接続筐体部、３０７０ａ  上壁部、３０７０ｂ  開口部、３０７１  電源側接続端子。
【図１】
2020102441.tif 000003
【図２】
2020102441.tif 000004
【図３】
2020102441.tif 000005
【図４】
2020102441.tif 000006
【図５】
2020102441.tif 000007
【図６】
2020102441.tif 000008
【図７】
2020102441.tif 000009
【図８】
2020102441.tif 000010
【図９】
2020102441.tif 000011
【図１０】
2020102441.tif 000012
【図１１】
2020102441.tif 000013
【図１２】
2020102441.tif 000014
【図１３】
2020102441.tif 000015
【図１４】
2020102441.tif 000016
【図１５】
2020102441.tif 000017
【図１６】
2020102441.tif 000018
【図１７】
2020102441.tif 000019
【図１８】
2020102441.tif 000020
【図１９】
2020102441.tif 000021
【図２０】
2020102441.tif 000022
【図２１】
2020102441.tif 000023
【図２２】
2020102441.tif 000024
【図２３】
2020102441.tif 000025
【図２４】
2020102441.tif 000026
【図２５】
2020102441.tif 000027
【図２６】
2020102441.tif 000028
【図２７】
2020102441.tif 000029
【図２８】
2020102441.tif 000030
【図２９】
2020102441.tif 000031
【図３０】
2020102441.tif 000032
【図３１】
2020102441.tif 000033
【図３２】
2020102441.tif 000034